(57)【特許請求の範囲】
【請求項１】
複数のダウンリンクキャリアについて受信され、デバイスから送信されたフィードバックに基づいて少なくとも１つの変調および符号化スキームを判断することと、
前記ダウンリンクキャリア上での前記デバイスへの送信のために、前記少なくとも１つの変調および符号化スキームに従ってデータを変調し、符号化することと、
前記判断された少なくとも１つの変調および符号化スキームについて前記デバイスに通知することと、
を備え、
前記少なくとも１つの変調および符号化スキームが単一の変調および符号化スキームであると判断された場合、
前記データについておよび前記単一の変調および符号化スキームについて、トランスポートブロックの数Ｎと前記トランスポートブロックの各々のサイズとを判断することをさらに備え、前記単一の変調および符号化スキームについての前記トランスポートブロックの数Ｎは、
【数１】
0005497050.tif 000005
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための方法。
【請求項２】
複数のダウンリンクキャリアについて受信され、デバイスから送信されたフィードバックに基づいて少なくとも１つの変調および符号化スキームを判断することと、
前記ダウンリンクキャリア上での前記デバイスへの送信のために、前記少なくとも１つの変調および符号化スキームに従ってデータを変調し、符号化することと、
を備え、
前記少なくとも１つの変調および符号化スキームが単一の変調および符号化スキームであると判断された場合、
前記データについておよび前記単一の変調および符号化スキームについて、トランスポートブロックの数Ｎと前記トランスポートブロックの各々のサイズとを判断することさらに備え、前記単一の変調および符号化スキームについての前記トランスポートブロックの数Ｎは、
【数２】
0005497050.tif 000006
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための方法。
【請求項３】
前記フィードバックは、チャネル品質指示フィードバックである、
請求項１または２に記載の方法。
【請求項４】
前記データは、合成データブロックへ多重化される第１のトランスポートブロックと第２のトランスポートブロックとを備え、
前記方法は、前記ダウンリンクキャリア上での送信のために前記変調され、符号化された合成データブロックをマッピングすることをさらに備える、
請求項１または２に記載の方法。
【請求項５】
前記Ｎ個のトランスポートブロックの各々の前記サイズは、前記最初のＮ−１個のトランスポートブロックについてはＴ’であり、前記Ｎ番目のトランスポートブロックについては、最も近い第２のトランスポートブロックサイズに切り上げられたＴ−（Ｎ−１）Ｔ’である、
請求項１または２に記載の方法。
【請求項６】
前記Ｎ個のトランスポートブロックの各々の前記サイズは、最も近い第２のトランスポートブロックサイズに切り上げられたＴ／Ｎである、
請求項１または２に記載の方法。
【請求項７】
前記複数のダウンリンクキャリアは、第１のダウンリンクキャリアと第２のダウンリンクキャリアとを備え、
前記少なくとも１つの変調および符号化スキームが第１の変調および符号化スキームと、前記第１の変調および符号化スキームとは別個に判断される第２の変調および符号化スキームであると判断された場合、
前記第１の変調および符号化スキームは、前記第１のダウンリンクキャリアについて受信された前記フィードバックに基づいて判断され、前記第２の変調および符号化スキームは、前記第２のダウンリンクキャリアについて受信された前記フィードバックに基づいて判断され、
前記第１の変調および符号化スキームは、前記第１のダウンリンクキャリア上で前記データを変調し、符号化するために使用され、
前記第２の変調および符号化スキームは、前記第２のダウンリンクキャリア上で前記データを変調し、符号化するために使用される
請求項１または２に記載の方法。
【請求項８】
前記データは、第１のトランスポートブロックと第２のトランスポートブロックとを備え、
前記第１のトランスポートブロックは、前記第１の変調および符号化スキームによって変調され、符号化され、前記第２のトランスポートブロックは、前記第２の変調および符号化スキームによって変調され、符号化され、
前記方法は、前記第１のダウンリンクキャリア上での送信のために前記変調され、符号化された第１のトランスポートブロックをマッピングし、前記第２のダウンリンクキャリア上での送信のために前記変調され、符号化された第２のトランスポートブロックをマッピングすることをさらに備える、
請求項７に記載の方法。
【請求項９】
前記複数のダウンリンクキャリアは、第１のダウンリンクキャリアと、第２のダウンリンクキャリアと、第３のダウンリンクキャリアとを備え、
前記少なくとも１つの変調および符号化スキームが第１の変調および符号化スキームと、前記第１の変調および符号化スキームとは別個に判断される第２の変調および符号化スキームであると判断された場合、
前記第１の変調および符号化スキームは、前記第１のダウンリンクキャリア上で前記データを変調し、符号化するために使用され、
前記第２の変調および符号化スキームは、前記第３のダウンリンクキャリア上で前記データを変調し、符号化するために使用され、
前記第１の変調および符号化スキームまたは前記第２の変調および符号化スキームは、前記第２のダウンリンクキャリア上で前記データを変調し、符号化するために使用される
請求項１または２に記載の方法。
【請求項１０】
前記データは、第１の合成データブロックへ多重化される第１のトランスポートブロックと第２のトランスポートブロックとを備え、第２の合成データブロックへ多重化される第３のトランスポートブロックと第４のトランスポートブロックとを備え、
前記第１の合成データブロックは、前記第１の変調および符号化スキームによって変調され、符号化され、
前記第２の合成データブロックは、前記第２の変調および符号化スキームによって変調され、符号化され、
前記方法は、前記第１のダウンリンクキャリア上と前記第２のダウンリンクキャリア上とでの送信のために前記変調され、符号化された第１の合成データブロックをマッピングし、前記第３のダウンリンクキャリア上での送信のために前記変調され、符号化された第２の合成データブロックをマッピングすることをさらに備える、
請求項９に記載の方法。
【請求項１１】
前記第１の変調および符号化スキームは、前記第２のダウンリンクキャリア上で前記データを変調し、符号化するために使用され、
前記第１のダウンリンクキャリアについて受信された前記フィードバックと前記第２のダウンリンクキャリアについて受信された前記フィードバックとが合成フィードバックに合成され、前記合成フィードバックが前記第１および第２のダウンリンクキャリアの平均チャネル品質に対応し、
前記第１の変調および符号化スキームは、前記合成フィードバックに基づいて判断され、
前記第２の変調および符号化スキームは、前記第３のダウンリンクキャリアについて受信された前記フィードバックに基づいて判断される
請求項９に記載の方法。
【請求項１２】
複数のアップリンクキャリア中でデバイスから信号を受信することと、
各受信信号のチャネル品質を判断することと、
前記判断されたチャネル品質に基づいて少なくとも１つの変調および符号化スキームを判断することと、
前記判断された少なくとも１つの変調および符号化スキームについて前記デバイスに通知することと、
前記少なくとも１つの変調および符号化スキームに従って前記デバイスからの前記複数のアップリンクキャリア中のデータを復調し、復号することと、
を備え、
前記少なくとも１つの変調および符号化スキームが単一の変調および符号化スキームであると判断された場合、
前記データについておよび前記単一の変調および符号化スキームについて、トランスポートブロックの数Ｎと前記トランスポートブロックの各々のサイズとを判断することさらに備え、前記単一の変調および符号化スキームについての前記トランスポートブロックの数Ｎは、
【数３】
0005497050.tif 000007
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための方法。
【請求項１３】
複数のアップリンクキャリア中でデバイスから信号を受信することと、
各受信信号のチャネル品質を判断することと、
前記判断されたチャネル品質に基づいて少なくとも１つの変調および符号化スキームを判断することと、
前記少なくとも１つの変調および符号化スキームに従って前記デバイスからの前記複数のアップリンクキャリア中のデータを復調し、復号することと、
を備え、
前記少なくとも１つの変調および符号化スキームが単一の変調および符号化スキームであると判断された場合、
前記データについておよび前記単一の変調および符号化スキームについて、トランスポートブロックの数Ｎと前記トランスポートブロックの各々のサイズとを判断することさらに備え、前記単一の変調および符号化スキームについての前記トランスポートブロックの数Ｎは、
【数４】
0005497050.tif 000008
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための方法。
【請求項１４】
前記複数のアップリンクキャリアは、第１のアップリンクキャリアと第２のアップリンクキャリアとを備え、
前記少なくとも１つの変調および符号化スキームが第１の変調および符号化スキームと、前記第１の変調および符号化スキームとは別個に判断される第２の変調および符号化スキームであると判断された場合、
前記第１の変調および符号化スキームは、前記第１のダウンリンクキャリアについての前記チャネル品質に基づいて判断され、前記第２の変調および符号化スキームは、前記第２のダウンリンクキャリアについての前記チャネル品質に基づいて判断され、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用される、
請求項１２または１３に記載の方法。
【請求項１５】
前記複数のアップリンクキャリアは、第１のアップリンクキャリアと、第２のアップリンクキャリアと、第３のアップリンクキャリアとを備え、
前記少なくとも１つの変調および符号化スキームが第１の変調および符号化スキームと、前記第１の変調および符号化スキームとは別個に判断される第２の変調および符号化スキームであると判断された場合、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用され、
前記第１の変調および符号化スキームまたは前記第２の変調および符号化スキームは、前記第３のアップリンクキャリア上で前記データを変調し、符号化するために使用される、
請求項１２または１３に記載の方法。
【請求項１６】
複数のダウンリンクキャリアについてフィードバックを送信することと、
前記フィードバックに基づいて判断された少なくとも１つの変調および符号化スキームに関する情報を受信することと、
前記ダウンリンクキャリア上で受信されたデータを前記情報に従って復調し、復号することと、
を備え、
前記少なくとも１つの変調および符号化スキームが単一の変調および符号化スキームであると判断されていた場合、
前記単一の変調および符号化スキームについてのトランスポートブロックの数Ｎは、
【数５】
0005497050.tif 000009
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための方法。
【請求項１７】
前記フィードバックは、チャネル品質指示フィードバックである、
請求項１６に記載の方法。
【請求項１８】
前記複数のダウンリンクキャリアは、第１のダウンリンクキャリアと第２のダウンリンクキャリアとを備え、
前記少なくとも１つの変調および符号化スキームが第１の変調および符号化スキームと、前記第１の変調および符号化スキームとは別個に判断される第２の変調および符号化スキームであると判断されていた場合、前記第１の変調および符号化スキームは、前記第１のダウンリンクキャリアについて送信された前記フィードバックに基づいて判断され、前記第２の変調および符号化スキームは、前記第２のダウンリンクキャリアについて送信された前記フィードバックに基づいて判断され、
前記第１の変調および符号化スキームは、前記第１のダウンリンクキャリア上で前記データを復調し、復号するために使用され、
前記第２の変調および符号化スキームは、前記第２のダウンリンクキャリア上で前記データを復調し、復号するために使用される、
請求項１６に記載の方法。
【請求項１９】
前記複数のダウンリンクキャリアは、第１のダウンリンクキャリアと、第２のダウンリンクキャリアと、第３のダウンリンクキャリアとを備え、
前記少なくとも１つの変調および符号化スキームが第１の変調および符号化スキームと、前記第１の変調および符号化スキームとは別個に判断される第２の変調および符号化スキームであると判断されていた場合、前記第１の変調および符号化スキームは、前記第１のダウンリンクキャリアについて送信された前記フィードバックに基づいて判断され、前記第２の変調および符号化スキームは、前記第３のダウンリンクキャリアについて送信された前記フィードバックに基づいて判断され、
前記第１の変調および符号化スキームは、前記第１のダウンリンクキャリア上で前記データを復調し、復号するために使用され、
前記第２の変調および符号化スキームは、前記第３のダウンリンクキャリア上で前記データを復調し、復号するために使用され、
前記第１の変調および符号化スキームまたは前記第２の変調および符号化スキームは、前記第２のダウンリンクキャリア上で前記データを復調し、復号するために使用される、
請求項１６に記載の方法。
【請求項２０】
複数のアップリンクキャリア上で信号を送信することと、
各信号のチャネル品質に基づいて判断された少なくとも１つの変調および符号化スキームに関する情報を受信することと、
前記複数のアップリンクキャリア中での送信のために、前記情報に従ってデータを変調し、符号化することと、
を備え
前記少なくとも１つの変調および符号化スキームが単一の変調および符号化スキームであると判断されていた場合、
前記単一の変調および符号化スキームについてのトランスポートブロックの数Ｎは、
【数６】
0005497050.tif 000010
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、ワイヤレス通信のための方法。
【請求項２１】
前記複数のアップリンクキャリアは、第１のアップリンクキャリアと第２のアップリンクキャリアとを備え、
前記少なくとも１つの変調および符号化スキームが第１の変調および符号化スキームと、前記第１の変調および符号化スキームとは別個に判断される第２の変調および符号化スキームであると判断されていた場合、前記第１の変調および符号化スキームは、前記第１のダウンリンクキャリアについての前記チャネル品質に基づいて判断され、前記第２の変調および符号化スキームは、前記第２のダウンリンクキャリアについての前記チャネル品質に基づいて判断され、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用される、
請求項２０に記載の方法。
【請求項２２】
前記複数のアップリンクキャリアは、第１のアップリンクキャリアと、第２のアップリンクキャリアと、第３のアップリンクキャリアとを備え、
前記少なくとも１つの変調および符号化スキームが第１の変調および符号化スキームと、前記第１の変調および符号化スキームとは別個に判断される第２の変調および符号化スキームであると判断されていた場合、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用され、
前記第１の変調および符号化スキームまたは前記第２の変調および符号化スキームは、前記第３のアップリンクキャリア上で前記データを変調し、符号化するために使用される
請求項２０に記載の方法。
【請求項２３】
複数のダウンリンクキャリアについて受信され、デバイスから送信されたフィードバックに基づいて少なくとも１つの変調および符号化スキームを判断するための手段と、
前記判断された少なくとも１つの変調および符号化スキームについて前記デバイスに通知するための手段と、
前記ダウンリンクキャリア上での前記デバイスへの送信のために、前記少なくとも１つの変調および符号化スキームに従ってデータを変調し、符号化するための手段と、
を備え、
前記少なくとも１つの変調および符号化スキームが単一の変調および符号化スキームであると判断された場合、
前記データについておよび前記単一の変調および符号化スキームについて、トランスポートブロックの数Ｎと前記トランスポートブロックの各々のサイズとを判断するための手段をさらに備え、
前記単一の変調および符号化スキームについての前記トランスポートブロックの数Ｎは、
【数７】
0005497050.tif 000011
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信システムにおいて動作可能な装置。
【請求項２４】
複数のダウンリンクキャリアについて受信され、デバイスから送信されたフィードバックに基づいて少なくとも１つの変調および符号化スキームを判断するための手段と、
前記ダウンリンクキャリア上での前記デバイスへの送信のために、前記少なくとも１つの変調および符号化スキームに従ってデータを変調し、符号化するための手段と、
を備え、
前記少なくとも１つの変調および符号化スキームが単一の変調および符号化スキームであると判断された場合、
前記データについておよび前記単一の変調および符号化スキームについて、トランスポートブロックの数Ｎと前記トランスポートブロックの各々のサイズとを判断するための手段をさらに備え、
前記単一の変調および符号化スキームについての前記トランスポートブロックの数Ｎは、
【数８】
0005497050.tif 000012
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信システムにおいて動作可能な装置。
【請求項２５】
前記フィードバックは、チャネル品質指示フィードバックである、
請求項２３または２４に記載の装置。
【請求項２６】
前記データは、合成データブロックへ多重化される第１のトランスポートブロックと第２のトランスポートブロックとを備え、
前記装置は、前記ダウンリンクキャリア上での送信のために前記変調され、符号化された合成データブロックをマッピングするための手段をさらに備える、
請求項２３または２４に記載の装置。
【請求項２７】
前記Ｎ個のトランスポートブロックの各々の前記サイズは、前記最初のＮ−１個のトランスポートブロックについてはＴ’であり、前記Ｎ番目のトランスポートブロックについては、最も近い第２のトランスポートブロックサイズに切り上げられたＴ−（Ｎ−１）Ｔ’である、
請求項２３または２４に記載の装置。
【請求項２８】
前記Ｎ個のトランスポートブロックの各々の前記サイズは、最も近いレガシートランスポートブロックサイズに切り上げられたＴ／Ｎである、
請求項２３または２４に記載の装置。
【請求項２９】
前記複数のダウンリンクキャリアは、第１のダウンリンクキャリアと第２のダウンリンクキャリアとを備え、
前記少なくとも１つの変調および符号化スキームが第１の変調および符号化スキームと、前記第１の変調および符号化スキームとは別個に判断される第２の変調および符号化スキームであると判断された場合、前記第１の変調および符号化スキームは、前記第１のダウンリンクキャリアについて受信された前記フィードバックに基づいて判断され、前記第２の変調および符号化スキームは、前記第２のダウンリンクキャリアについて受信された前記フィードバックに基づいて判断され、
前記第１の変調および符号化スキームは、前記第１のダウンリンクキャリア上で前記データを変調し、符号化するために使用され、
前記第２の変調および符号化スキームは、前記第２のダウンリンクキャリア上で前記データを変調し、符号化するために使用される
請求項２３または２４に記載の装置。
【請求項３０】
前記データは、第１のトランスポートブロックと第２のトランスポートブロックとを備え、
前記第１のトランスポートブロックは、前記第１の変調および符号化スキームによって変調され、符号化され、前記第２のトランスポートブロックは、前記第２の変調および符号化スキームによって変調され、符号化され、
前記装置は、前記第１のダウンリンクキャリア上での送信のために前記変調され、符号化された第１のトランスポートブロックをマッピングし、前記第２のダウンリンクキャリア上での送信のために前記変調され、符号化された第２のトランスポートブロックをマッピングするための手段をさらに備える、
請求項２９に記載の装置。
【請求項３１】
前記複数のダウンリンクキャリアは、第１のダウンリンクキャリアと、第２のダウンリンクキャリアと、第３のダウンリンクキャリアとを備え、
前記少なくとも１つの変調および符号化スキームが第１の変調および符号化スキームと、前記第１の変調および符号化スキームとは別個に判断される第２の変調および符号化スキームであると判断された場合、
前記第１の変調および符号化スキームは、前記第１のダウンリンクキャリア上で前記データを変調し、符号化するために使用され、
前記第２の変調および符号化スキームは、前記第３のダウンリンクキャリア上で前記データを変調し、符号化するために使用され、
前記第１の変調および符号化スキームまたは前記第２の変調および符号化スキームは、前記第２のダウンリンクキャリア上で前記データを変調し、符号化するために使用される、
請求項２３または２４に記載の装置。
【請求項３２】
前記データは、第１の合成データブロックへ多重化される第１のトランスポートブロックと第２のトランスポートブロックとを備え、第２の合成データブロックへ多重化される第３のトランスポートブロックと第４のトランスポートブロックとを備え、
前記第１の合成データブロックは、前記第１の変調および符号化スキームによって変調され、符号化され、
前記第２の合成データブロックは、前記第２の変調および符号化スキームによって変調され、符号化され、
前記装置は、前記第１のダウンリンクキャリア上と前記第２のダウンリンクキャリア上とでの送信のために前記変調され、符号化された第１の合成データブロックをマッピングし、前記第３のダウンリンクキャリア上での送信のために前記変調され、符号化された第２の合成データブロックをマッピングするための手段をさらに備える、
請求項３１に記載の装置。
【請求項３３】
前記第１の変調および符号化スキームは、前記第２のダウンリンクキャリア上で前記データを変調し、符号化するために使用され、
前記第１のダウンリンクキャリアについて受信された前記フィードバックと前記第２のダウンリンクキャリアについて受信された前記フィードバックとが合成フィードバックに合成され、前記合成フィードバックが前記第１および第２のダウンリンクキャリアの平均チャネル品質に対応し、
前記第１の変調および符号化スキームは、前記合成フィードバックに基づいて判断され、
前記第２の変調および符号化スキームは、前記第３のダウンリンクキャリアについて受信された前記フィードバックに基づいて判断される、
請求項３１に記載の装置。
【請求項３４】
複数のアップリンクキャリア中でデバイスから信号を受信するための手段と、
各受信信号のチャネル品質を判断するための手段と、
前記判断されたチャネル品質に基づいて少なくとも１つの変調および符号化スキームを判断するための手段と、
前記判断された少なくとも１つの変調および符号化スキームについて前記デバイスに通知するための手段と、
前記少なくとも１つの変調および符号化スキームに従って前記デバイスからの前記複数のアップリンクキャリア中でデータを復調し、復号するための手段と、
を備え、
前記少なくとも１つの変調および符号化スキームが単一の変調および符号化スキームであると判断された場合、
前記データについておよび前記単一の変調および符号化スキームについて、トランスポートブロックの数Ｎと前記トランスポートブロックの各々のサイズとを判断するための手段をさらに備え、
前記単一の変調および符号化スキームについての前記トランスポートブロックの数Ｎは、
【数９】
0005497050.tif 000013
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための装置。
【請求項３５】
複数のアップリンクキャリア中でデバイスから信号を受信するための手段と、
各受信信号のチャネル品質を判断するための手段と、
前記判断されたチャネル品質に基づいて少なくとも１つの変調および符号化スキームを判断するための手段と、
前記少なくとも１つの変調および符号化スキームに従って前記デバイスからの前記複数のアップリンクキャリア中でデータを復調し、復号するための手段と、
を備え、
前記少なくとも１つの変調および符号化スキームが単一の変調および符号化スキームであると判断された場合、
前記データについておよび前記単一の変調および符号化スキームについて、トランスポートブロックの数Ｎと前記トランスポートブロックの各々のサイズとを判断するための手段をさらに備え、
前記単一の変調および符号化スキームについての前記トランスポートブロックの数Ｎは、
【数１０】
0005497050.tif 000014
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための装置。
【請求項３６】
前記複数のアップリンクキャリアは、第１のアップリンクキャリアと第２のアップリンクキャリアとを備え、
前記少なくとも１つの変調および符号化スキームが第１の変調および符号化スキームと、前記第１の変調および符号化スキームとは別個に判断される第２の変調および符号化スキームと判断された場合、前記第１の変調および符号化スキームは、前記第１のダウンリンクキャリアについての前記チャネル品質に基づいて判断され、前記第２の変調および符号化スキームは、前記第２のダウンリンクキャリアについての前記チャネル品質に基づいて判断され、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用される、
請求項３４または３５に記載の装置。
【請求項３７】
前記複数のアップリンクキャリアは、第１のアップリンクキャリアと、第２のアップリンクキャリアと、第３のアップリンクキャリアとを備え、
前記少なくとも１つの変調および符号化スキームが第１の変調および符号化スキームと、前記第１の変調および符号化スキームとは別個に判断される第２の変調および符号化スキーム判断された場合、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用され、
前記第１の変調および符号化スキームまたは前記第２の変調および符号化スキームは、前記第３のアップリンクキャリア上で前記データを変調し、符号化するために使用される、
請求項３４または３５に記載の装置。
【請求項３８】
複数のダウンリンクキャリアについてフィードバックを送信するための手段と、
前記フィードバックに基づいて判断された少なくとも１つの変調および符号化スキームに関する情報を受信するための手段と、
前記ダウンリンクキャリア上で受信されたデータを前記情報に従って復調し、復号するための手段と、
を備え、
前記少なくとも１つの変調および符号化スキームが単一の変調および符号化スキームであると判断されていた場合、
前記単一の変調および符号化スキームについてのトランスポートブロックの数Ｎは、
【数１１】
0005497050.tif 000015
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための装置。
【請求項３９】
前記フィードバックがチャネル品質指示フィードバックである、
請求項３８に記載の装置。
【請求項４０】
前記複数のダウンリンクキャリアは、第１のダウンリンクキャリアと第２のダウンリンクキャリアとを備え、
前記少なくとも１つの変調および符号化スキームが第１の変調および符号化スキームと、前記第１の変調および符号化スキームとは別個に判断される第２の変調および符号化スキームであると判断されていた場合、前記第１の変調および符号化スキームは、前記第１のダウンリンクキャリアについて送信された前記フィードバックに基づいて判断され、前記第２の変調および符号化スキームは、前記第２のダウンリンクキャリアについて送信された前記フィードバックに基づいて判断され、
前記第１の変調および符号化スキームは、前記第１のダウンリンクキャリア上で前記データを復調し、復号するために使用され、
前記第２の変調および符号化スキームは、前記第２のダウンリンクキャリア上で前記データを復調し、復号するために使用される、
請求項３８に記載の装置。
【請求項４１】
前記複数のダウンリンクキャリアは、第１のダウンリンクキャリアと、第２のダウンリンクキャリアと、第３のダウンリンクキャリアとを備え、
前記少なくとも１つの変調および符号化スキームが第１の変調および符号化スキームと、前記第１の変調および符号化スキームとは別個に判断される第２の変調および符号化スキームであると判断されていた場合、前記第１の変調および符号化スキームは、前記第１のダウンリンクキャリアについて送信された前記フィードバックに基づいて判断され、前記第２の変調および符号化スキームは、前記第３のダウンリンクキャリアについて送信された前記フィードバックに基づいて判断され、
前記第１の変調および符号化スキームは、前記第１のダウンリンクキャリア上で前記データを復調し、復号するために使用され、
前記第２の変調および符号化スキームは、前記第３のダウンリンクキャリア上で前記データを復調し、復号するために使用され、
前記第１の変調および符号化スキームまたは前記第２の変調および符号化スキームは、前記第２のダウンリンクキャリア上で前記データを復調し、復号するために使用される、
請求項３８に記載の装置。
【請求項４２】
複数のアップリンクキャリア上で信号を送信するための手段と、
各信号のチャネル品質に基づいて判断された少なくとも１つの変調および符号化スキームに関する情報を受信するための手段と、
前記複数のアップリンクキャリア中での送信のために、前記情報に従ってデータを変調し、符号化するための手段と、
を備え、
前記少なくとも１つの変調および符号化スキームが単一の変調および符号化スキームであると判断されていた場合、
前記単一の変調および符号化スキームについてのトランスポートブロックの数Ｎは、
【数１２】
0005497050.tif 000016
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための装置。
【請求項４３】
前記複数のアップリンクキャリアは、第１のアップリンクキャリアと第２のアップリンクキャリアとを備え、
前記少なくとも１つの変調および符号化スキームが第１の変調および符号化スキームと、前記第１の変調および符号化スキームとは別個に判断される第２の変調および符号化スキームであると判断されていた場合、前記第１の変調および符号化スキームは、前記第１のダウンリンクキャリアについての前記チャネル品質に基づいて判断され、前記第２の変調および符号化スキームは、前記第２のダウンリンクキャリアについての前記チャネル品質に基づいて判断され、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用される、
請求項４２に記載の装置。
【請求項４４】
前記複数のアップリンクキャリアは、第１のアップリンクキャリアと、第２のアップリンクキャリアと、第３のアップリンクキャリアとを備え、
前記少なくとも１つの変調および符号化スキームが第１の変調および符号化スキームと、前記第１の変調および符号化スキームとは別個に判断される第２の変調および符号化スキームであると判断されていた場合、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用され、
前記第１の変調および符号化スキームまたは前記第２の変調および符号化スキームは、前記第３のアップリンクキャリア上で前記データを変調し、符号化するために使用される、
請求項４２に記載の装置。
【請求項４５】
コンピュータプログラムであって、
コンピュータに、複数のダウンリンクキャリアについて受信され、デバイスから送信されたフィードバックに基づいて少なくとも１つの変調および符号化スキームを判断させるためのコードと、
前記コンピュータに、前記判断された少なくとも１つの変調および符号化スキームについて前記デバイスに通知させるためのコードと、
前記コンピュータに、前記ダウンリンクキャリア上での前記デバイスへの送信のために、前記少なくとも１つの変調および符号化スキームに従ってデータを変調し、符号化させるためのコードと、
を備え、
前記コンピュータに、前記少なくとも１つの変調および符号化スキームが単一の変調および符号化スキームであると判断された場合、
前記コンピュータに、前記データについておよび前記単一の変調および符号化スキームについて、トランスポートブロックの数Ｎと前記トランスポートブロックの各々のサイズとを判断させるためのコードをさらに備え、
前記単一の変調および符号化スキームについての前記トランスポートブロックの数Ｎは、
【数１３】
0005497050.tif 000017
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
コンピュータプログラム。
【請求項４６】
コンピュータプログラムであって、
コンピュータに、複数のアップリンクキャリア中でデバイスから信号を受信させるためのコードと、
前記コンピュータに、各受信信号のチャネル品質を判断するためのコードと、
前記コンピュータに、前記判断されたチャネル品質に基づいて少なくとも１つの変調および符号化スキームを判断させるためのコードと、
前記コンピュータに、前記判断された少なくとも１つの変調および符号化スキームについて前記デバイスに通知させるためのコードと、
前記コンピュータに、前記少なくとも１つの変調および符号化スキームに従って前記デバイスからの前記複数のアップリンクキャリア中でデータを復調し、復号させるためのコードと、
を備え、
前記コンピュータに、前記少なくとも１つの変調および符号化スキームが単一の変調および符号化スキームであると判断された場合、
前記コンピュータに、前記データについておよび前記単一の変調および符号化スキームについて、トランスポートブロックの数Ｎと前記トランスポートブロックの各々のサイズとを判断させるためのコードをさらに備え、
前記単一の変調および符号化スキームについての前記トランスポートブロックの数Ｎは、
【数１４】
0005497050.tif 000018
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
コンピュータプログラム。
【請求項４７】
コンピュータプログラムであって、
コンピュータに、複数のダウンリンクキャリアについてフィードバックを送信させるためのコードと、
前記コンピュータに、前記フィードバックに基づいて判断された少なくとも１つの変調および符号化スキームに関する情報を受信させるためのコードと、
前記コンピュータに、前記ダウンリンクキャリア上で受信されたデータを前記情報に従って復調し、復号させるためのコードと、
を備え、
前記コンピュータに、前記少なくとも１つの変調および符号化スキームが単一の変調および符号化スキームであると判断された場合、
前記単一の変調および符号化スキームについてのトランスポートブロックの数Ｎは、
【数１５】
0005497050.tif 000019
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
コンピュータプログラム。
【請求項４８】
コンピュータプログラムであって、
コンピュータに、複数のアップリンクキャリア上で信号を送信させるためのコードと、
前記コンピュータに、各信号のチャネル品質に基づいて判断された少なくとも１つの変調および符号化スキームに関する情報を受信させるためのコードと、
前記コンピュータに、前記複数のアップリンクキャリア中での送信のために、前記情報に従ってデータを変調し、符号化させるためのコードと、
を備え、
前記コンピュータに、前記少なくとも１つの変調および符号化スキームが単一の変調および符号化スキームであると判断された場合、
前記単一の変調および符号化スキームについてのトランスポートブロックの数Ｎは、
【数１６】
0005497050.tif 000020
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
コンピュータプログラム。
【請求項４９】
複数のダウンリンクキャリアについて受信され、デバイスから送信されたフィードバックに基づいて少なくとも１つの変調および符号化スキームを判断することと、
前記判断された少なくとも１つの変調および符号化スキームについて前記デバイスに通知することと、
前記ダウンリンクキャリア上での前記デバイスへの送信のために、前記少なくとも１つの変調および符号化スキームに従ってデータを変調し、符号化することと、
を行うように構成された処理システムを備え、
前記少なくとも１つの変調および符号化スキームが単一の変調および符号化スキームであると判断された場合、
前記処理システムは、前記データについておよび前記単一の変調および符号化スキームについて、トランスポートブロックの数Ｎと前記トランスポートブロックの各々のサイズとを判断するようにさらに構成され、前記単一の変調および符号化スキームについての前記トランスポートブロックの数Ｎは、
【数１７】
0005497050.tif 000021
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための装置。
【請求項５０】
複数のアップリンクキャリア中でデバイスから信号を受信することと、
各受信信号のチャネル品質を判断することと、
前記判断されたチャネル品質に基づいて少なくとも１つの変調および符号化スキームを判断することと、
前記判断された少なくとも１つの変調および符号化スキームについて前記デバイスに通知することと、
前記少なくとも１つの変調および符号化スキームに従って前記デバイスからの前記複数の１つのアップリンクキャリア中のデータを復調し、復号することと、
を行うように構成された処理システムを備え、
前記少なくとも１つの変調および符号化スキームが単一の変調および符号化スキームであると判断された場合、
前記処理システムは、前記データについておよび前記単一の変調および符号化スキームについて、トランスポートブロックの数Ｎと前記トランスポートブロックの各々のサイズとを判断するようにさらに構成され、前記単一の変調および符号化スキームについての前記トランスポートブロックの数Ｎは、
【数１８】
0005497050.tif 000022
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである
ワイヤレス通信のための装置。
【請求項５１】
複数のダウンリンクキャリアについてフィードバックを送信することと、
前記フィードバックに基づいて判断された少なくとも１つの変調および符号化スキームに関する情報を受信することと、
前記ダウンリンクキャリア上で受信されたデータを前記情報に従って復調し、復号することと、
を行うように構成された処理システムを備え、
前記少なくとも１つの変調および符号化スキームが単一の変調および符号化スキームであると判断された場合、
前記単一の変調および符号化スキームについてのトランスポートブロックの数Ｎは、
【数１９】
0005497050.tif 000023
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための装置。
【請求項５２】
複数のアップリンクキャリア上で信号を送信することと、
各信号のチャネル品質に基づいて判断された少なくとも１つの変調および符号化スキームに関する情報を受信することと、
前記少なくとも１つのアップリンクキャリア中での送信のために、前記情報に従ってデータを変調し、符号化することと、
を行うように構成された処理システムを備え、
前記少なくとも１つの変調および符号化スキームが単一の変調および符号化スキームであると判断された場合、
前記単一の変調および符号化スキームについてのトランスポートブロックの数Ｎは、
【数２０】
0005497050.tif 000024
として判断され、ここで、Ｔは、第１のトランスポートブロック中のリソースブロックの第１の数ＮＲＢと前記単一の変調および符号化スキームのインデックスとに基づいて判断される第１のトランスポートブロックサイズであり、Ｔ’は、第２のトランスポートブロック中のリソースブロックの第２の数Ｎ’ＲＢと前記単一の変調および符号化スキームの前記インデックスとに基づいて判断される第２のトランスポートブロックサイズであり、前記第２のトランスポートブロックは、レガシートランスポートブロックである、
ワイヤレス通信のための装置。
【発明の詳細な説明】
【関連出願】
【０００１】
関連出願の相互参照  
米国特許法第１１９条（ｅ）項により、本出願は、その内容の全文が参照により本明細書に組み込まれる、２００８年１０月２２日に出願された米国特許仮出願第６１／１０７，６０８号、および２００８年１０月２２日に出願された米国特許仮出願第６１／１０７，５８４号の利益を主張する。
【技術分野】
【０００２】
本開示は、一般に通信に関し、より詳細には、マルチキャリアシステムのための共通および専用変調および符号化スキーム（ＭＣＳ）に関する。
【背景技術】
【０００３】
ワイヤレス通信システムは、電話、ビデオ、データ、メッセージング、およびブロードキャストなどの様々な電気通信サービスを提供するために広く展開されている。代表的なワイヤレス通信システムは、使用可能なシステムリソース（たとえば、帯域幅、送信電力）を共有することによって複数のユーザとの通信をサポートすることができる多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、およびシングルキャリア周波数分割多元接続（ＳＣ−ＦＤＭＡ）システムがある。これらのシステムは、たとえば、３ＧＰＰ  Ｌｏｎｇ  Ｔｅｒｍ  Ｅｖｏｌｕｔｉｏｎ（ＬＴＥ）など、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）の仕様に準拠することができる。ＬＴＥは、スペクトル効率の向上、コストの削減、サービスの改善、新規のスペクトルの利用、および他のオープン標準とのより良い統合のためのＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル標準の拡張セットである。
【０００４】
一般に、ワイヤレス多元接続通信システムは、複数のユーザ機器（ＵＥ）のための通信を同時にサポートすることができる。各ＵＥは、順方向リンクおよび逆方向リンク上の送信を介して基地局（ＢＳ）と通信することができる。順方向リンク（またはダウンリンク（ＤＬ））はＢＳからＵＥへの通信リンクを指し、逆方向リンク（またはアップリンク（ＵＬ））はＵＥからＢＳへの通信リンクを指す。ＵＥとＢＳとの間の通信は、単一入力単一出力（ＳＩＳＯ）システム、単一入力多出力（ＳＩＭＯ）システム、多入力単一出力（ＭＩＳＯ）システム、多入力多出力（ＭＩＭＯ）システムを介して確立できる。ピアツーピアワイヤレスネットワーク構成では、ＵＥは他のＵＥと（および／またはＢＳは他のＢＳと）通信することができる。
【発明の概要】
【０００５】
本開示の一態様では、複数のＤＬキャリアについて受信され、デバイスから送信されたフィードバックに基づいて少なくとも１つの変調および符号化スキーム（ＭＣＳ）を判断する、ワイヤレス通信のための方法、装置、およびコンピュータプログラム製品が提供される。データは、ＤＬキャリア上でのデバイスへの送信のために、少なくとも１つのＭＣＳに従って変調され、符号化される。
【０００６】
本開示の一態様では、少なくとも１つのアップリンクキャリア中でデバイスから信号を受信する、ワイヤレス通信のための方法、装置、およびコンピュータプログラム製品が提供される。少なくとも１つのアップリンクキャリアは、複数のアップリンクキャリア、または、Ｎ≧２であるＮ個のシングルキャリア周波数分割多元接続送信を含んでいる１つのアップリンクキャリアを含む。受信信号のチャネル品質を判断する。判断されたチャネル品質に基づいて少なくとも１つの変調および符号化スキームを判断する。少なくとも１つの変調および符号化スキームに従ってデバイスからの少なくとも１つのアップリンクキャリア中でデータを復調し、復号する。
【０００７】
本開示の一態様では、複数のダウンリンクキャリアについてフィードバックを送信する、ワイヤレス通信のための方法、装置、およびコンピュータプログラム製品が提供される。フィードバックに基づいて判断された少なくとも１つの変調および符号化スキームで情報を受信する。ダウンリンクキャリア上で受信されたデータを情報に従って復調し、復号する。
【０００８】
本開示の一態様では、少なくとも１つのアップリンクキャリア上で信号を送信する、ワイヤレス通信のための方法、装置、およびコンピュータプログラム製品が提供される。少なくとも１つのアップリンクキャリアは、複数のアップリンクキャリア、または、Ｎ≧２であるＮ個のシングルキャリア周波数分割多元接続送信を含んでいる１つのアップリンクキャリアを含む。信号のチャネル品質に基づいて判断された少なくとも１つの変調および符号化スキームで情報を受信する。少なくとも１つのアップリンクキャリア中での送信のためのデータを情報に従って変調し、符号化する。
【図面の簡単な説明】
【０００９】
【図１】ワイヤレス通信システムの図。
【図２】ワイヤレス通信ネットワークの図。
【図３】ワイヤレス通信システムのブロック図。
【図４】装置のための構成を示すブロック図。
【図５】ワイヤレス通信システムにおいて情報を処理し、通信するためのシステムのブロック図。
【図６】キャリア上での送信のためのリソースブロックを示す概念時間周波数グリッド。
【図７】スロットおよびサブフレーム内のリソースブロックを示す概念図。
【図８】キャリアにわたる共通ＭＣＳを示す概念図。
【図９】各キャリアの専用ＭＣＳを示す概念図。
【図１０】キャリアのグループにわたる共通ＭＣＳを示す概念図。
【図１１】複数の帯域幅割振りにわたる共通ＭＣＳを示す概念図。
【図１２】共通ＭＣＳのためのブロック図。
【図１３】専用ＭＣＳのためのブロック図。
【図１４】キャリアのグループにわたる共通ＭＣＳのためのブロック図。
【図１５】複数の帯域幅割振りにわたる共通ＭＣＳのためのブロック図。
【図１６】マルチキャリア割振りにわたるデータのために共通ＭＣＳを適用するための方法を示す図。
【図１７】キャリア割振りごとのデータのために専用ＭＣＳを適用するための方法を示す図。
【図１８】割り振られたキャリアのそれぞれのグループにわたるデータのために共通ＭＣＳを適用するための方法を示す図。
【図１９】例示的なＢＳ装置のＤＬ関連機能を示す概念ブロック図。
【図２０】例示的なＢＳ装置のＵＬ関連機能を示す概念ブロック図。
【図２１】例示的なＵＥ装置のＤＬ関連機能を示す概念ブロック図。
【図２２】例示的なＵＥ装置のＵＬ関連機能を示す概念ブロック図。
【発明を実施するための形態】
【００１０】
以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られている構造およびデバイスをブロック図の形態で示す。
【００１１】
本出願で使用する「コンポーネント」、「モジュール」、および「システム」という用語は、コンピュータ関連のエンティティ、すなわち、ハードウェア、ファームウェア、ハードウェアとソフトウェアの組合せ、ソフトウェア、または実行中のソフトウェアのいずれかを指すものとする。たとえば、コンポーネントは、プロセッサ上で実行されるプロセス、プロセッサ、オブジェクト、実行ファイル、実行スレッド、プログラム、および／またはコンピュータとすることができるが、これらに限定されない。例として、コンピューティングデバイス上で実行されるアプリケーションと、そのコンピューティングデバイスの両方をコンポーネントとすることができる。１つまたは複数のコンポーネントがプロセスおよび／または実行スレッド内に常駐することができ、１つのコンポーネントを１つのコンピュータ上に配置し、および／または２つ以上のコンピュータ間に分散することができる。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム内、および／または他のシステムを用いるインターネットなどのネットワーク全体の中の別のコンポーネントと信号を介して相互作用する１つのコンポーネントからのデータ）を有する信号によるなど、ローカルおよび／またはリモートプロセスを介して通信することができる。
【００１２】
さらに、本明細書では、様々な実施形態について、ＵＥに関して説明する。ＵＥは、モバイルデバイス、システム、加入者ユニット、加入者局、移動局、モバイル、リモート局、リモート端末、アクセス端末、ユーザ端末、端末、ワイヤレス通信デバイス、ユーザエージェント、ユーザデバイス、またはデバイスと呼ばれることもある。本明細書では、様々な実施形態について、基地局に関して説明する。ＢＳは、ＵＥと通信するために利用でき、アクセスポイント、ノードＢ、進化型ノードＢ（ｅノードＢもしくはｅＮＢ）、送受信基地局（ＢＴＳ）、または何らかの他の用語で呼ばれることもある。
【００１３】
さらに、本明細書で説明する様々な態様または特徴は、標準のプログラミングおよび／またはエンジニアリング技法を使用した方法、装置、または製造品として実装できる。本明細書で使用する「製造品（article of manufacture）」という用語は、任意の機械可読デバイス、キャリア、または媒体からアクセス可能なコンピュータプログラムを包含するものとする。機械可読媒体は、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、ＥＰＲＯＭ、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、レジスタ、リムーバブルディスク、搬送波、伝送線路、他の何らかの適切な記憶デバイス、または命令を送信することができる他の何らかの装置または手段を含むことができるが、これらに限定されない。
【００１４】
本明細書で説明する技法は、ＣＤＭＡ、ＴＤＭＡ、ＦＤＭＡ、ＯＦＤＭＡ、およびＳＣ−ＦＤＭＡなど、様々なワイヤレス通信システムに使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）またはＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、またはＦｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  ＬＴＥは、Ｅ−ＵＴＲＡを使用するリリースであり、ダウンリンク上ではＯＦＤＭＡを採用し、アップリンク上ではＳＣ−ＦＤＭＡを採用し、より多くのユーザおよびより高いデータレートをサポートするための多入力多出力（ＭＩＭＯ）アンテナ技術を採用する。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ｒｄ  Ｇｅｎｅｒａｔｉｏｎ  Ｐａｒｔｎｅｒｓｈｉｐ  Ｐｒｏｊｅｃｔ  ２（３ＧＰＰ２）という組織からの文書に記載されている。
【００１５】
次に図１を参照すると、ワイヤレス通信システム１００が示されている。システム１００は、複数のアンテナグループを含むことができるＢＳ１０２を含む。たとえば、１つのアンテナグループはアンテナ１０４および１０６を含み、別のグループはアンテナ１０８および１１０を含み、さらなるグループはアンテナ１１２および１１４を含むことができる。アンテナグループごとに２つのアンテナを示す。しかしながら、グループごとにより多いまたはより少ないアンテナを利用することができる。ＢＳ１０２は、さらに、送信機チェーンおよび受信機チェーンを含むことができ、送信機チェーンおよび受信機チェーンの各々は、当業者なら諒解するように、信号送信および受信に関連付けられる複数のコンポーネント（たとえば、プロセッサ、変調器、マルチプレクサ、復調器、デマルチプレクサ、アンテナ）を含むことができる。
【００１６】
ＢＳ１０２は、ＵＥ１１６およびＵＥ１２６などの１つまたは複数のＵＥと通信することができる。ただし、基地局１０２は、ＵＥ１１６および１２６と同様の実質的にいかなる数のＵＥとも通信することができることを諒解されたい。ＵＥ１１６および１２６は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の何らかの適切なデバイスとすることができる。図示のように、ＵＥ１１６はアンテナ１１２および１１４と通信している。アンテナ１１２および１１４は、順方向リンク１１８を介してＵＥ１１６に情報を送信し、逆方向リンク１２０を介してＵＥ１１６から情報を受信する。周波数分割複信（ＦＤＤ）システムでは、順方向リンク１１８は、たとえば、逆方向リンク１２０によって使用される周波数帯域とは異なる周波数帯域を利用することができる。さらに、時分割複信（ＴＤＤ）システムでは、順方向リンク１１８および逆方向リンク１２０は共通の周波数を利用することができる。
【００１７】
アンテナの各グループおよび／またはそれらが通信するように指定されたエリアを、ＢＳ１０２のセクタと呼ぶことができる。たとえば、ＢＳ１０２によってカバーされるエリアのセクタ内のＵＥと通信するようにアンテナグループを設計することができる。順方向リンク１１８を介した通信では、ＢＳ１０２の送信アンテナは、ＵＥ１１６のための順方向リンク１１８の信号対雑音比（ＳＮＲ）を向上させるためにビームフォーミングを利用することができる。ＢＳ１０２が、関連するカバレージ中にランダムに散在するＵＥ１１６に送信するためにビームフォーミングを利用する間、ＢＳが単一のアンテナを介してＢＳと通信しているすべてのＵＥに送信する場合と比較して、隣接セル中のＵＥは干渉を受けにくくなる。ＵＥ１１６および１２６はまた、ピアツーピアまたはアドホック技術を使用して互いに直接通信することができる。
【００１８】
図１に示すように、ＢＳ１０２は、バックホールリンク接続を介してサービスプロバイダのネットワークなどのネットワーク１２２と通信することができる。フェムトセル１２４を設けて、（上記で説明したように順方向リンク１１８および逆方向リンク１２０と同様の）順方向リンク１２８および逆方向リンク１３０を介してＵＥ１２６と通信することを可能にすることができる。フェムトセル１２４は、ＢＳ１０２とほとんど同じであるが、より小規模に、１つまたは複数のＵＥ１２６へのアクセスを与えることができる。フェムトセル１２４は、住居、事業所、および／または他の近距離環境において構成できる。フェムトセル１２４は、ブロードバンドインターネット接続（たとえば、Ｔ１／Ｔ３、デジタル加入者回線（ＤＳＬ）、ケーブル）を介することができるバックホールリンク接続を利用してネットワーク１２２に接続することができる。
【００１９】
図２に、多数のＵＥをサポートするように構成されたワイヤレス通信ネットワーク２００を示す。システム２００は、たとえば、マクロセル２０２Ａ〜２０２Ｇなど、複数のセルの通信を可能にし、各セルは、対応するＢＳ２０４Ａ〜２０４Ｇによってサービスされる。ＵＥ２０６Ａ〜２０６Ｉは、ワイヤレス通信システム２００全体にわたって様々なロケーションに分散して示されている。各ＵＥ２０６Ａ〜２０６Ｉは、説明したように、順方向リンクおよび／または逆方向リンク上で１つまたは複数のＢＳ２０４Ａ〜２０４Ｇと通信することができる。さらに、フェムトセル２０８Ａ〜２０８Ｃが示されている。ＵＥ２０６Ａ〜２０６Ｉは、さらに、フェムトセル２０８Ａ〜２０８Ｃと通信することができる。ワイヤレス通信システム２００は広い地理的領域にわたってサービスを提供することができ、マクロセル２０２Ａ〜２０２Ｇは広いエリアをカバーし、フェムトセル２０８Ａ〜２０８Ｃは住居およびオフィスビルなどのエリア中でサービスを提供する。ＵＥ２０６Ａ〜２０６Ｉは、無線でおよび／またはバックホール接続を介してＢＳ２０４Ａ〜２０４Ｇおよび／またはフェムトセル２０８Ａ〜２０８Ｃとの接続を確立することができる。
【００２０】
図３は、ワイヤレス通信システム３００のブロック図である。ワイヤレス通信システム３００は、ＵＥ３５０と通信しているＢＳ３１０のためのブロック図を示す。ＢＳ３１０において、多数のデータストリームのためのトラフィックデータがデータソース３１２から送信（ＴＸ）データプロセッサ３１４に供給される。ＴＸデータプロセッサ３１４は、トラフィックデータストリーム用に選択された特定の符号化スキームに基づいて、そのデータストリームをフォーマットし、符号化し、インターリーブして、符号化データを与える。
【００２１】
ＴＸデータプロセッサ３１４は、直交周波数分割多重（ＯＦＤＭ）技法を使用して各データストリームのための符号化データをパイロットデータ３４０と多重化することができる。追加または代替として、パイロットシンボルは、周波数分割多重（ＦＤＭ）、時分割多重（ＴＤＭ）、または符号分割多重（ＣＤＭ）とすることができる。パイロットデータ３４０は、一般に、既知の方法で処理される既知のデータパターンであり、チャネル応答を推定するためにＵＥ３５０において使用できる。ＴＸデータプロセッサ３１４は、各データストリームのための多重化されたパイロットおよび符号化データを、そのデータストリーム用に選択された特定の変調スキーム（たとえば、２値位相シフトキーイング（ＢＰＳＫ）、４位相シフトキーイング（ＱＰＳＫ）、Ｍ位相偏移キーイング（Ｍ−ＰＳＫ）、多値直交振幅変調（Ｍ−ＱＡＭ））に基づいて変調して、変調シンボルを供給することができる。各データストリームのためのデータレート、符号化、および変調は、プロセッサ３３０によって実行または供給される命令によって判断できる。
【００２２】
ＭＩＭＯ通信をサポートするＢＳ３１０では、データストリームのための変調シンボルは、（たとえば、ＯＦＤＭ用に）変調シンボルの空間処理を行うＴＸ  ＭＩＭＯプロセッサ３２０に供給できる。ＴＸ  ＭＩＭＯプロセッサ３２０は、次いで、ｎ個の変調シンボルストリーム（または空間ストリーム）をｎ個の送信機（ＴＭＴＲ）３２２ＴＸ１〜３２２ＴＸｎに供給する。
【００２３】
各送信機３２２ＴＸは、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介した送信に適した変調信号を供給する。さらに、送信機３２２ＴＸからのｎ個の変調信号は、それぞれｎ個のアンテナ３２４Ａ１〜３２４Ａｎから送信される。
【００２４】
ＵＥ３５０では、送信された変調信号はｍ個のアンテナ３５２Ａ１〜３５２Ａｍによって受信され、各アンテナ３５２からの受信信号はそれぞれの受信機（ＲＣＶＲ）３５４ＲＸ１〜３５４ＲＸｍに供給される。各受信機３５４ＲＸは、それぞれの信号を調整（たとえば、フィルタ処理、増幅、およびダウンコンバート）し、調整された信号をデジタル化してサンプルを与え、さらに、それらのサンプルを処理して対応する「受信」シンボルストリームを与える。
【００２５】
ＲＸデータプロセッサ３６０は、特定の受信機処理技法に基づいてｍ個の受信機３５４からｍ個の受信シンボルストリームを受信し、処理して、ｎ個の「検出」シンボルストリームを与えることができる。ＲＸデータプロセッサ３６０は、各検出シンボルストリームを復調し、デインターリーブし、復号して、データストリームのためのトラフィックデータを復元することができる。ＲＸデータプロセッサ３６０による処理は、ＢＳ３１０におけるＴＸ  ＭＩＭＯプロセッサ３２０とＴＸデータプロセッサ３１４とによって実行される処理を補足するものである。
【００２６】
プロセッサ３７０は逆方向リンクメッセージを作成することができる。逆方向リンクメッセージは、通信リンクおよび／または受信データストリームに関する様々なタイプの情報を含むことができる。逆方向リンクメッセージは、データソース３３６から多数のデータストリームのためのトラフィックデータをも受信するＴＸデータプロセッサ３３８によって処理され、変調され、さらに、ＴＸ  ＭＩＭＯプロセッサ３８０によって処理され、送信機３５４ＴＸによって調整され、ＢＳ３１０に返信される。
【００２７】
ＲＸデータプロセッサ３６０によって生成されるチャネル応答推定は、受信機において空間または時間処理を実行する、電力レベルを調整する、変調レートまたはスキームを変更する、あるいは他の動作を実行するために使用できる。ＲＸデータプロセッサ３６０は、さらに、検出シンボルストリームの信号対雑音干渉比（ＳＮＲ）、および場合によっては他のチャネル特性を推定することができ、これらの量をプロセッサ３７０に供給する。さらに、ＲＸデータプロセッサ３６０またはプロセッサ３７０は、システムに関する「動作」ＳＮＲの推定をさらに導出することができる。プロセッサ３７０は、次いで、通信リンクおよび／または受信データストリームに関する様々なタイプの情報を備えることができるチャネル状態情報（ＣＳＩ）を与える。たとえば、ＣＳＩは、動作ＳＮＲのみを備えることができる。他の実施形態では、ＣＳＩは、１つまたは複数のチャネル状態を示す数値とすることができるチャネル品質インジケータ（ＣＱＩ）を備えることができる。ＣＳＩは、次いで、ＴＸデータプロセッサ３３８によって処理され、ＴＸ  ＭＩＭＯプロセッサ３８０によって空間処理され、送信機３５４ＴＸ１〜３５４ＴＸｍによって調整され、ＢＳ３１０に返信される。
【００２８】
ＢＳ３１０において、ＵＥ３５０からの変調信号は、アンテナ３２４によって受信され、受信機３２２ＲＸによって調整され、ＲＸデータプロセッサ３４２によって復調および処理されて、ＵＥ３５０によって送信された逆方向リンクメッセージが抽出される。
【００２９】
プロセッサ３３０および３７０は、それぞれＢＳ３１０およびＵＥ３５０における動作を指示（たとえば、制御、調整、管理）することができる。それぞれのプロセッサ３３０および３７０は、プログラムコードとデータとを記憶するメモリ３３２および３７２に関連付けることができる。プロセッサ３３０および３７０はまた、それぞれアップリンクおよびダウンリンクについて周波数推定値とインパルス応答推定値とを導出するための計算を実行することができる。
【００３０】
図４は、ＵＥ１１６またはＢＳ１０２とすることができる装置４００のための構成を示すブロック図である。装置４００は、ワイヤレスインターフェース４０２と、処理システム４０４と、機械可読媒体４０６とを含むことができる。装置４００がＢＳであるとき、処理システム４０４はプロセッサ３３０に対応し、機械可読媒体４０６はメモリ３３２に対応し、ワイヤレスインターフェース４０２は、アンテナ３２４Ａ、トランシーバ３２２、ＴＸデータプロセッサ３１４、ＴＸ  ＭＩＭＯプロセッサ３２０、およびＲＸデータプロセッサ３４２に対応する。装置４００がＵＥであるとき、処理システム４０４はプロセッサ３７０に対応し、機械可読媒体４０６はメモリ３７２に対応し、ワイヤレスインターフェース４０２は、アンテナ３５２Ａ、トランシーバ３５４、ＴＸデータプロセッサ３３８、ＴＸ  ＭＩＭＯプロセッサ３８０、およびＲＸデータプロセッサ３６０に対応する。
【００３１】
ワイヤレスインターフェース４０２は、処理システム４０４に統合することも、装置中の複数のエンティティにわたって分散することもできる。処理システム４０４は１つまたは複数のプロセッサを用いて実装できる。１つまたは複数のプロセッサは、汎用マイクロプロセッサ、マイクロコントローラ、デジタル信号プロセッサ（ＤＳＰ）、デジタル信号処理デバイス（ＤＳＰＤ）、フィールドプログラマブルゲートアレイ（ＦＰＧＡ）、プログラマブル論理デバイス（ＰＬＤ）、コントローラ、集積回路（ＩＣ）、特定用途向け集積回路（ＡＳＩＣ）、状態機械、ゲートロジック、個別ハードウェアコンポーネント、あるいは情報の計算または他の操作を実行することができる他の何らかの適切なエンティティの任意の組合せを用いて実装できる。
【００３２】
処理システム４０４は、ソフトウェアを格納するための機械可読媒体４０６に結合される。代替的に、処理システム４０４はそれ自体に機械可読媒体４０６を含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコードフォーマット、バイナリコードフォーマット、実行コードフォーマット、または他の何らかの適切なコードフォーマットの）コードを含むことができる。命令は、１つまたは複数のプロセッサによって実行されると、以下で説明する様々な機能ならびに様々なプロトコル処理機能を処理システム４０４に実行させる。
【００３３】
実施形態は、ソフトウェア、ファームウェア、ミドルウェアまたはマイクロコード、プログラムコードまたはコードセグメントで実装した場合、記憶コンポーネントなどの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、および／またはデータは、メモリ共有、メッセージパッシング、トークンパッシング、およびネットワーク送信を含む適切な手段を使用してパス、フォワーディング、または送信することができる。
【００３４】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【００３５】
図５は、ワイヤレス通信システムにおいて情報を処理し、通信するためのシステムのブロック図である。システム５００は、受信デバイス５２０にデータ、制御シグナリング、および／または他の情報を送信することができる送信デバイス５１０を含むことができる。一例では、送信デバイス５１０は、受信デバイス５２０への送信のためのデータを、たとえば、１つまたは複数のトランスポートブロックの形態で供給することができるデータソース５１２を含むことができる。各トランスポートブロックは複数のリソースブロックを含む。一態様では、データを変調／符号化モジュール５１４によって変調および／または符号化して、キャリアのセット（たとえば、コード、空間、周波数などのキャリア）上での送信のための複数の信号を生成することができる。変調／符号化モジュール５１４は、複数のキャリアの割振りにわたって送信すべきデータを変調し、符号化するための１つまたは複数の技法を利用することができる。生成されると、変調および／または符号化された信号を送信機５１６によって受信デバイス５２０に送信することができ、受信デバイス５２０において、信号を受信機５２２によって受信するおよび／あるいは処理することができる。一例では、送信デバイス５１０は、さらに、プロセッサ５１８および／またはメモリ５１９を利用して、送信デバイス５１０の変調／符号化モジュール５１４および／または（１つまたは複数の）他の何らかの適切なコンポーネントの機能の一部または全部を実装することができる。
【００３６】
一構成では、送信デバイスはＵＥ１１６に対応し、受信デバイス５２０はＢＳ１０２に対応する。別の構成では、送信デバイスはＢＳ１０２に対応し、受信デバイス５２０はＵＥ１１６に対応する。図３を参照すると、ＢＳ３１０が送信デバイスである場合、データソース５１２はデータソース３１２に対応し、変調／符号化モジュール５１４はＴＸデータプロセッサ３１４に対応し、送信機５１６は送信機３２２ＴＸに対応し、プロセッサ５１８はプロセッサ３３０に対応し、メモリ５１９はメモリ３３２に対応する。ＵＥ３５０が送信デバイスである場合、データソース５１２はデータソース３３６に対応し、変調／符号化モジュール５１４はＴＸデータプロセッサ３３８に対応し、送信機５１６は送信機３５４ＴＸに対応し、プロセッサ５１８はプロセッサ３７０に対応し、メモリ５１９はメモリ３７２に対応する。
【００３７】
図６は、キャリア上での送信のためのリソースブロック６００を示す概念時間周波数グリッドである。リソースブロック６００は、８４個のリソース要素６０１を含み、１２個のサブキャリア／トーン（１８０ｋＨｚ）×７個のＯＦＤＭシンボル（０．５ｍｓ）に広がる。リソース要素のサイズ、したがってリソースブロックは、リソースブロック用に選択された変調および符号化スキームに依存する。各ＵＥは、時間周波数グリッド中の多数のリソースブロックを割り振られる。ＵＥがより多くのリソースを受信するほど、リソース要素中で使用される変調はより高くなり、ＵＥのためのビットレートはより高くなる。
【００３８】
図７は、スロットおよびサブフレーム内のリソースブロックを示す概念図である。フレームの半分は５個のサブフレームからなる。各サブフレームは１ｍｓである。各サブフレームは２個のスロットを含み、各スロットは、７個のＯＦＤＭシンボル×１２個のＯＦＤＭトーンまたはサブキャリアを含み、８４個のリソース要素を与える。図７中でＲ0〜Ｒ3として示されるリソース要素のいくつかは、リソース信号を含む。リソース信号は、共通リソース信号（ＣＲＳ）、ビーコン信号、および／またはパイロット信号と呼ばれることがある。
【００３９】
図８は、キャリアにわたる共通ＭＣＳを示す概念図である。ＢＳ１０２およびＵＥ１１６は複数のキャリアＣ１、Ｃ２を通して通信することができる。キャリアＣ１、Ｃ２は、逆方向リンク１２０中で通信するために使用されるＵＬキャリアとすることも、または順方向リンク１１８中で通信するために使用されるＤＬキャリアとすることもできる。送信／受信のためにキャリアＣ１はデータＤ１を含み、キャリアＣ２はデータＤ２を含む。データＤ１、Ｄ２には、１個のサブフレームのために、それぞれが１８０ｋＨｚに広がる、周波数中の１つまたは複数のリソースブロックを割り振ることができる。図８に示すように、同じ変調および符号化スキーム（ＭＣＳ）が、別個のキャリアＣ１、Ｃ２上のデータＤ１およびＤ２を変調するために利用される。ＭＣＳは、ＢＳ１０２中のスケジューラによって判断される。スケジューラは、プロセッサ３３０（図３）、処理システム４０４（図４）、およびプロセッサ５１８（図５）内にある。
【００４０】
Ｃ１およびＣ２がＤＬキャリアであると仮定すると、ＵＥ１１６は、ＤＬキャリアＣ１、Ｃ２の各々についてチャネル品質を判断し、ＤＬキャリアＣ１、Ｃ２の各々についてチャネル品質指示（ＣＱＩ）フィードバックをＢＳ１０２に送信する。一構成では、ＵＥ１１６は、ＤＬキャリアＣ１、Ｃ２の各々について別個のＣＱＩフィードバックを送信する。別の構成では、ＵＥ１１６は、２つのＤＬキャリアＣ１、Ｃ２についてＣＱＩフィードバックを平均化し、平均ＣＱＩフィードバックをＢＳ１０２に送信する。ＢＳ１０２は、ＣＱＩフィードバックを受信し、まだ平均化されていない場合はＣＱＩフィードバックを平均化し、平均化されたＣＱＩフィードバックに基づいて単一のＭＣＳを判断する。ＢＳ１０２は、ＤＬキャリアＣ１、Ｃ２の少なくとも１つ上で送信されるＤＬ許可中で、判断されたＭＣＳについてＵＥ１１６に通知する。ＢＳ１０２はまた、使用するＤＬキャリアと、ＤＬキャリア上に割り振られたリソースとについて、ＵＥ１１６に通知することができる。ＢＳ１０２は、判断されたＭＣＳに基づいてデータＤ１、Ｄ２を変調し、符号化し、変調され符号化されたデータをＤＬキャリアＣ１、Ｃ２を通してＵＥ１１６に送信する。ＵＥ１１６は、ＤＬキャリアＣ１およびＣ２中で変調され符号化されたデータを受信し、判断されたＭＣＳに基づいてデータを復調し、復号する。
【００４１】
Ｃ１およびＣ２がＵＬキャリアであると仮定すると、ＢＳ１０２は、アップリンクキャリアＣ１およびＣ２の各々の中で信号を受信し、信号の各々のチャネル品質を判断する。ＢＳ１０２はチャネル品質を平均化し、平均化されたチャネル品質に基づいてＢＳ  １０２はＭＣＳを判断する。ＢＳ１０２は、ＵＬ許可中で、判断されたＭＣＳについてＵＥ１１６に通知する。ＢＳ１０２はまた、使用するＵＬキャリアと、ＵＬキャリア上に割り振られたリソースとについて、ＵＥ１１６に通知することができる。ＵＥ１１６は、判断されたＭＣＳを使用してデータを変調し、符号化し、ＵＬ許可に従ってアップリンクキャリアＣ１、Ｃ２中でデータを送信する。ＢＳ１１６は、判断されたＭＣＳを使用してアップリンクキャリアＣ１およびＣ２中で受信されたデータを復調し、復号する。
【００４２】
図９は、各キャリアの専用ＭＣＳを示す概念図である。図９に示すように、ＭＣＳは、各キャリアＣ１およびＣ２について選択される。ＭＣＳ１は、データＤ１を変調し、符号化するために利用され、ＭＣＳ２は、データＤ２を変調し、符号化するために利用される。各キャリアのＭＣＳは、そのキャリアについてのＣＱＩフィードバックに依存するので、ＭＣＳ１およびＭＳＣ２は、同じＭＣＳとすることも、または異なるＭＣＳとすることもできる。
【００４３】
Ｃ１およびＣ２がＤＬキャリアであると仮定すると、ＵＥ１１６は、ＤＬキャリアＣ１、Ｃ２の各々についてチャネル品質を判断し、ＤＬキャリアＣ１、Ｃ２の各々についてＣＱＩフィードバックをＢＳ１０２に送信する。ＢＳ１０２は、ＣＱＩフィードバックを受信し、ＤＬキャリアＣ１についてＭＣＳ１が使用されると判断し、別に、ＤＬキャリアＣ２についてＭＣＳ２が使用されると判断する。ＢＳ１０２は、ＤＬキャリアＣ１、Ｃ２の少なくとも１つ上で送信されるＤＬ許可中で、判断されたＭＣＳ（すなわち、ＭＳＣ１およびＭＳＣ２）についてＵＥ１１６に通知する。ＢＳ１０２は、判断されたＭＣＳに基づいてデータＤ１、Ｄ２を変調し、符号化し、変調され、符号化されたデータをＤＬキャリアＣ１、Ｃ２を通してＵＥ１１６に送信する。ＵＥ１１６は、ＤＬキャリアＣ１およびＣ２中で変調され、符号化されたデータを受信し、判断されたＭＣＳに基づいてデータを復調し、復号する。
【００４４】
Ｃ１およびＣ２がＵＬキャリアであると仮定すると、ＢＳ１０２は、アップリンクキャリアＣ１およびＣ２の各々の中で信号を受信し、信号の各々のチャネル品質を判断する。ＢＳ１０２は、ＵＬキャリアＣ１についてＭＣＳ１が使用されると判断し、ＵＬキャリアＣ２についてＭＣＳ２が使用されると判断する。ＢＳ１０２は、ＵＬ許可中で、判断されたＭＣＳ（すなわち、ＭＳＣ１およびＭＳＣ２）についてＵＥ１１６に通知する。ＵＥ１１６は、判断されたＭＣＳを使用してデータを変調し、符号化し、ＵＬ許可に従ってアップリンクキャリアＣ１、Ｃ２中でデータを送信する。ＢＳ１１６は、判断されたＭＣＳを使用してアップリンクキャリアＣ１およびＣ２中で受信されたデータを復調し、復号する。
【００４５】
図１０は、キャリアのグループにわたる共通ＭＣＳを示す概念図である。図１０に示すように、ＭＣＳ１は、データＤ１およびＤ２を変調し、符号化するために利用され、ＭＣＳ２は、データＤ３を変調し、符号化するために利用される。
【００４６】
Ｃ１、Ｃ２、およびＣ３がＤＬキャリアであると仮定すると、ＵＥ１１６は、ＤＬキャリアＣ１、Ｃ２、Ｃ３の各々についてチャネル品質を判断し、ＤＬキャリアＣ１、Ｃ２、Ｃ３の各々についてＣＱＩフィードバックをＢＳ１０２に送信する。一構成では、ＵＥ１１６は、ＤＬキャリアＣ１、Ｃ２、Ｃ３の各々について別個のＣＱＩフィードバックを送信する。別の構成では、ＵＥ１１６は、２つのＤＬキャリアＣ１、Ｃ２についてＣＱＩフィードバックを平均化し、平均ＣＱＩフィードバックとＤＬキャリアＣ３についてのＣＱＩフィードバックとをＢＳ１０２に送信する。ＢＳ１０２は、ＣＱＩフィードバックを受信し、まだ平均化されていない場合はＤＬキャリアＣ１およびＣ２についてＣＱＩフィードバックを平均化し、平均化されたＣＱＩフィードバックに基づいてＤＬキャリアＣ１、Ｃ２についてＭＣＳ１が使用されると判断し、ＤＬキャリアＣ３についてのＣＱＩフィードバックに基づいてＤＬキャリアＣ３についてＭＣＳ２が使用されると判断する。ＢＳ１０２は、ＤＬキャリアＣ１、Ｃ２、Ｃ３の少なくとも１つ上で送信されるＤＬ許可中で、判断されたＭＣＳ（すなわち、ＭＳＣ１およびＭＳＣ２）についてＵＥ１１６に通知する。ＢＳ１０２は、判断されたＭＣＳに基づいてデータＤ１、Ｄ２、Ｄ３を変調し、符号化し、変調され、符号化されたデータをＤＬキャリアＣ１、Ｃ２、Ｃ３を通してＵＥ１１６に送信する。ＵＥ１１６は、ＤＬキャリアＣ１、Ｃ２、Ｃ３中で変調され、符号化されたデータを受信し、判断されたＭＣＳに基づいてデータを復調し、復号する。
【００４７】
Ｃ１、Ｃ２、およびＣ３がＵＬキャリアであると仮定すると、ＢＳ１０２は、アップリンクキャリアＣ１、Ｃ２、Ｃ３の各々の中で信号を受信し、信号の各々のチャネル品質を判断する。ＢＳ１０２は、アップリンクキャリアＣ１およびＣ２について判断されたチャネル品質を平均化する。ＢＳ１０２は、平均化されたチャネル品質に基づいてＵＬキャリアＣ１およびＣ２についてＭＣＳ１が使用されると判断し、ＵＬキャリア３について判断されたチャネル品質に基づいてＵＬキャリアＣ３についてＭＣＳ２が使用されると判断する。ＢＳ１０２は、ＵＬ許可中で、判断されたＭＣＳ（すなわち、ＭＳＣ１およびＭＳＣ２）についてＵＥ１１６に通知する。ＵＥ１１６は、判断されたＭＣＳを使用してデータを変調し、符号化し、ＵＬ許可に従ってアップリンクキャリアＣ１、Ｃ２、Ｃ３中でデータを送信する。ＢＳ１１６は、判断されたＭＣＳを使用してアップリンクキャリアＣ１、Ｃ２、Ｃ３中で受信されたデータを復調し、復号する。
【００４８】
図１１は、複数の帯域幅割振りにわたる共通ＭＣＳを示す概念図である。ＢＳ１０２は、アップリンクキャリアＣ１中で信号を受信し、信号のチャネル品質を判断する。ＢＳ１０２は、判断されたチャネル品質に基づいてＵＬキャリアＣ１について特定のＭＣＳが使用されると判断する。ＢＳ１０２は、ＵＬ許可中で、判断されたＭＣＳについてＵＥ１１６に通知する。ＢＳ１０２はまた、キャリアと、それらのキャリア上で使用するために割り振られたリソースとについて、ＵＥ１１６に通知することができる。ＵＥ１１６は、判断されたＭＣＳを使用してデータを変調し、符号化し、ＵＬ許可に従って割り振られたリソースＤ１１、Ｄ１２中でデータを送信する。ＢＳ１１６は、判断されたＭＣＳを使用してアップリンクキャリアＣ１中で受信されたデータを復調し、復号する。一構成では、ＵＬキャリアＣ１は、Ｎ≧２であるＮ×ＳＣ−ＦＤＭＡ送信を含んでいる。図１１に示すように、そのような構成では、割り振られたリソースＤ１１、Ｄ１２は、Ｎ＝２に対応することになる。
【００４９】
図１２は、共通ＭＣＳ１２００のためのブロック図である。共通ＭＣＳ１２００は、図５の変調／符号化モジュール５１４または図３のＴＸデータプロセッサ３１４内で発生し、さらに、図５のプロセッサ５１８または図３のプロセッサ３３０内で発生することがある。トランスポートブロックは、一緒に符号化すべき物理レイヤによって容認されるデータである。上記で説明したように、トランスポートブロックは複数のリソースブロックを含んでいる。１個のトランスポートブロック内のリソースブロックはすべて一緒に符号化される。図１２に示すように、共通ＭＣＳでは、複数のトランスポートブロックは、同じＭＣＳを用いて一緒に多重化され、符号化される。トランスポートブロック１、２の各々は、それぞれ、トランスポートブロック巡回冗長検査（ＣＲＣ）１２０２、１２０４にパスされ、次いで、トランスポートブロックマルチプレクサ１２０６中で一緒に多重化される。合成データは、共通ＭＣＳ（１２１４）を用いて符号化され（１２０８）、レートマッチングされ（１２１０）、変調され（１２１２）、次いでマッパーモジュール１２１６にパスされる。マッパーモジュール１２１６は、ＯＦＤＭ送信のためのデータをマッピングする。図８に示すようにキャリアが３つある場合、データは、キャリアＣ１、Ｃ２、Ｃ３上でのＯＦＤＭ送信（１２１８、１２２０、１２２２）のためにマッピングされる。
【００５０】
共通ＭＣＳ１２００を実行するＵＥ１１６および／またはＢＳ１０２は、レガシーシステムとの互換性を維持するためにトランスポートブロックを分割することができる。したがって、共通ＭＣＳを適用するＵＥ１１６またはＢＳ１０２は、共通ＭＣＳを適用するトランスポートブロックの数Ｎと、Ｎ個のトランスポートブロックの各々のサイズとを判断することができる。一構成では、トランスポートブロックの数Ｎは、
【数１】
0005497050.tif 000002
【００５１】
によって判断され、ここで、Ｔは、トランスポートブロック中のリソースブロックの数ＮRBとＭＣＳのインデックスとに基づいて判断されるトランスポートブロックサイズであり、Ｔ’は、レガシートランスポートブロック中のリソースブロックの数Ｎ’RBとＭＣＳのインデックスとに基づいて判断されるレガシートランスポートブロックサイズである。そのような構成では、Ｎ個のトランスポートブロックの各々のサイズは、最初のＮ−１個のトランスポートブロックについてはＴ’であり、Ｎ番目のトランスポートブロックについては、最も近いレガシートランスポートブロックサイズに切り上げられたＴ−（Ｎ−１）Ｔ’である。第２の構成では、トランスポートブロックは均等に分割され、Ｎ個のトランスポートブロックの各々のサイズは、最も近いレガシートランスポートブロックサイズに切り上げられたＴ／Ｎである。一例では、レガシートランスポートブロックサイズは、互換性を維持する必要のあるＬＴＥリリースに準拠する。
【００５２】
望ましいレガシートランスポートブロック長さＴ’は、あらかじめ定義することも、またはＵＥにシグナリングすることもできる。トランスポートブロックサイズ／境界に関する追加情報は、ＤＬ許可中で必要とされないことになる。トランスポートブロックごとにハイブリッド自動再送要求（ＨＡＲＱ）があるのか、またはすべてのトランスポートブロックについて単一のＨＡＲＱフィードバックがある（ＡＣＫバンドリング）のかを通知するために、ビットを定義することもできる。そのような構成は、ＵＬマッピング制限の場合に望ましいことがある。トランスポートブロックごとにＨＡＲＱフィードバックがあるのか、またはすべてのトランスポートブロックについて単一のＨＡＲＱフィードバックがあるのかは、許可中で動的にＵＥに搬送することも、またはＲＲＣシグナリングによって半静的にＵＥに搬送することもできる。
【００５３】
図１３は、専用ＭＣＳ１３００のためのブロック図である。専用ＭＣＳ１３００は、図５の変調／符号化モジュール５１４または図３のＴＸデータプロセッサ３１４内で発生し、さらに、図５のプロセッサ５１８または図３のプロセッサ３３０内で発生することがある。図１３に示すように、専用ＭＣＳでは、複数のトランスポートブロックは、専用ＭＣＳを用いてそれぞれ独立して多重化され、符号化される。トランスポートブロック１は、トランスポートブロックＣＲＣ１３０２、コーディングモジュール１３０６、レートマッチングモジュール１３１０、および変調モジュール１３１４を通してパスされる。その後、データは、図９に示すように２つのキャリアが存在すると仮定して、キャリアＣ１上でのＯＦＤＭ送信（１３２４）のためにデータをマッピングするマッパーモジュール１３２０にパスされる。トランスポートブロック２は、トランスポートブロックＣＲＣ１３０４、コーディングモジュール１３０８、レートマッチングモジュール１３１２、および変調モジュール１３１６を通してパスされる。その後、データは、キャリアＣ２上でのＯＦＤＭ送信（１３２６）のためにデータをマッピングするマッパーモジュール１３２２にパスされる。
【００５４】
２つのトランスポートブロック（１３１８）のＭＣＳはそれぞれ、トランスポートブロックが送信されるキャリア（すなわち、Ｃ１、Ｃ２）に対応して受信されるＣＱＩフィードバックに基づいて別々に判断される。１つのトランスポートブロックは、ＤＬキャリアごとに１つの肯定応答（ＡＣＫ）を用いて、キャリアに広がることができる。一構成では、１つのトランスポートブロックは、キャリアにわたる異なるＭＣＳおよびＡＣＫマッピング問題のために複数のキャリアに広がることができない。
【００５５】
図１４は、キャリア１４００のグループにわたる共通ＭＣＳのためのブロック図である。キャリア１４００のグループにわたる共通ＭＣＳは、図５の変調／符号化モジュール５１４または図３のＴＸデータプロセッサ３１４内で発生し、さらに、図５のプロセッサ５１８または図３のプロセッサ３３０内で発生することがある。トランスポートブロック１、２はそれぞれ、トランスポートブロックＣＲＣを通してパスされ、一緒に多重化される。合成データは、次いで、共通ＭＣＳ（１４０２）を使用して符号化され、レートマッチングされ、変調される。同様に、トランスポートブロック３、４はそれぞれ、トランスポートブロックＣＲＣを通してパスされ、一緒に多重化される。合成データは、次いで、共通ＭＣＳ（１４０４）を使用して符号化され、レートマッチングされ、変調される。データは、次いで、マッパーモジュール１４０６にパスされる。図１０に示すようなキャリアおよびＭＣＳの構成を仮定すると、トランスポートブロック１、２を含むデータは、キャリアＣ１、Ｃ２上でのＯＦＤＭ送信（１４０８）のためにグループ１中でマッピングされ、トランスポートブロック３、４を含むデータは、キャリアＣ３上でのＯＦＤＭ送信（１４１０）のためにグループ２中でマッピングされる。
【００５６】
図１５は、複数の帯域幅割振り１５００にわたる共通ＭＣＳのためのブロック図である。複数の帯域幅割振り１５００にわたる共通ＭＣＳは、図５の変調／符号化モジュール５１４または図３のＴＸデータプロセッサ３１４内で発生し、さらに、図５のプロセッサ５１８または図３のプロセッサ３３０内で発生することがある。トランスポートブロック１、２の各々は、それぞれ、ＣＲＣ１５０２、１５０４にパスされ、次いで、トランスポートブロックマルチプレクサ１５０６中で一緒に多重化される。合成データは、共通ＭＣＳ（１５１４）を用いて符号化され（１５０８）、レートマッチングされ（１５１０）、変調され（１５１２）、次いでマッパーモジュール１５１６にパスされる。マッパーモジュール１５１６は、ＯＦＤＭ送信のためのデータをマッピングする。図１１に示すようなキャリアおよび割振りリソースの構成を仮定すると、データはＮ×ＳＣ−ＦＤＭＡ送信（１５１８、１５２０、１５２２）のためにマッピングされる。
【００５７】
図１６に、マルチキャリア割振りにわたるデータのために共通ＭＣＳを適用するための方法１６００を示す。ブロック１６０２において、送信すべきデータに対応する１つまたは複数のトランスポートブロックを識別する。ブロック１６０４において、識別されたデータを送信すべき複数のキャリアを識別する。ブロック１６０６において、共通ＭＣＳを適用して、１つまたは複数のトランスポートブロックに対応するデータを変調し、符号化する。ブロック１６０８において、共通に変調され、符号化されたデータを、識別されたキャリアにわたって割り振る。
【００５８】
図１７に、キャリア割振りごとのデータのために専用ＭＣＳを適用するための方法１７００を示す。ブロック１７０２において、送信すべきデータに対応する１つまたは複数のトランスポートブロックを識別する。ブロック１７０４において、識別されたデータを送信すべき複数のキャリアを識別する。ブロック１７０６において、それぞれの識別されたキャリアを、独立したＭＣＳ（すなわち、別々に判断されたＭＣＳ）と、１つまたは複数のトランスポートブロックの非重複部分とに割り当てる。ブロック１７０８において、それぞれのキャリアに割り当てられたＭＣＳを使用して、それぞれのキャリアに割り当てられたトランスポートブロックに対応するデータを変調し、符号化する。ブロック１７１０において、変調され、符号化されたデータを、それぞれに割り当てられたキャリアに割り振る。
【００５９】
図１８に、割り振られたキャリアのそれぞれのグループにわたるデータのために共通ＭＣＳを適用するための方法１８００を示す。ブロック１８０２において、送信すべきデータに対応する１つまたは複数のトランスポートブロックを識別する。ブロック１８０４において、識別されたデータを送信すべき複数のキャリアを識別する。ブロック１８０６において、識別されたキャリアのそれぞれのグループを、独立したＭＣＳ（すなわち、別々に判断されたＭＣＳ）と、１つまたは複数のトランスポートブロックの非重複部分とに割り当てる。ブロック１８０８において、それぞれのグループに割り当てられたＭＣＳを使用して、キャリアのそれぞれのグループに割り当てられたトランスポートブロックに対応するデータを変調し、符号化する。ブロック１８１０において、変調され、符号化されたデータを、それぞれに割り当てられたグループ中の識別されたキャリアにわたって割り振る。
【００６０】
図１９は、例示的なＢＳ装置４００の複数のモジュールのＤＬ関連機能を示す概念ブロック図１９００である。ＢＳは、複数のＤＬキャリアについてＵＥからＣＱＩフィードバックを受信する（１９０２）。ＢＳは、ＣＱＩフィードバックに基づいて少なくとも１つのＭＣＳを判断する（１９０４）。ＢＳは、判断された少なくとも１つのＭＣＳについてＵＥに通知する（１９０６）。ＢＳは、少なくとも１つのＭＣＳに従ってデータを変調し、符号化する（１９０８）。ＢＳは、次いで、変調され、符号化されたデータを複数のＤＬキャリア中でＵＥに送る（１９１０）。一構成では、例示的な装置４００は、複数のダウンリンクキャリアについて受信され、デバイスから送信されたフィードバックに基づいて少なくとも１つの変調および符号化スキームを判断するための手段と、ダウンリンクキャリア上でのデバイスへの送信のために、少なくとも１つの変調および符号化スキームに従ってデータを変調し、符号化するための手段とを含む。上述の手段は、図１９のモジュール／アルゴリズムを用いて構成された処理システムである。
【００６１】
図２０は、例示的なＢＳ装置４００の複数のモジュールのＵＬ関連機能を示す概念ブロック図２０００である。ＢＳは、少なくとも１つのＵＬキャリア中でＵＥから信号を受信する（２００２）。少なくとも１つのＵＬキャリアは、Ｎ×ＳＣ−ＦＤＭＡ送信をもつ１つのＵＬキャリアとすることも、または複数のＵＬキャリアとすることもできる。ＢＳは、受信信号のチャネル品質を判断する（２００４）。ＢＳは、判断されたチャネル品質に基づいて少なくとも１つのＭＣＳを判断する（２００６）。ＢＳは、判断された少なくとも１つのＭＣＳについてＵＥに通知する（２００８）。ＢＳは、少なくとも１つのＭＣＳに従ってＵＥからの少なくとも１つのＵＬキャリア中のデータを復調し、復号する（２０１０）。一構成では、例示的な装置４００は、少なくとも１つのアップリンクキャリア中でデバイスから信号を受信するための手段と、なお、少なくとも１つのアップリンクキャリアが、複数のアップリンクキャリアからなるグループから選択されたアップリンクキャリアと、Ｎ≧２であるＮ個のシングルキャリア周波数分割多元接続送信を含んでいる１つのアップリンクキャリアとを備える、各受信信号のチャネル品質を判断するための手段と、判断されたチャネル品質に基づいて少なくとも１つの変調および符号化スキームを判断するための手段と、少なくとも１つの変調および符号化スキームに従ってデバイスからの少なくとも１つのアップリンクキャリア中のデータを復調し、復号するための手段とを含む。上述の手段は、図２０のモジュール／アルゴリズムを用いて構成された処理システムである。
【００６２】
図２１は、例示的なＵＥ装置４００の複数のモジュールのＤＬ関連機能を示す概念ブロック図２１００である。ＵＥは、複数のＤＬキャリアについてＣＱＩフィードバックを送信する（２１０２）。ＵＥは、ＣＱＩフィードバックに基づいて判断された少なくとも１つのＭＣＳに関する情報を受信する（２１０４）。ＵＥは、受信した情報に従って複数のＤＬキャリア上で受信されたデータを復調し、復号する（２１０６）。一構成では、例示的な装置４００は、複数のダウンリンクキャリアについてフィードバックを送信するための手段と、フィードバックに基づいて判断された少なくとも１つの変調および符号化スキームに関する情報を受信するための手段と、情報に従ってダウンリンクキャリア上で受信されたデータを復調し、復号するための手段とを含む。上述の手段は、図２１のモジュール／アルゴリズムを用いて構成された処理システムである。
【００６３】
図２２は、例示的なＵＥ装置４００の複数のモジュールのＵＬ関連機能を示す概念ブロック図２２００である。ＵＥは、少なくとも１つのＵＬキャリア上で信号を送信する（２２０２）。少なくとも１つのＵＬキャリアは、Ｎ×ＳＣ−ＦＤＭＡ送信をもつ１つのＵＬキャリアとすることも、または複数のＵＬキャリアとすることもできる。ＵＥは、ＣＱＩフィードバックに基づいて判断された少なくとも１つのＭＣＳに関する情報を受信する（２２０４）。ＵＥは、少なくとも１つのＵＬキャリア中での送信のために、受信した情報に従ってデータを変調し、符号化する（２２０６）。一構成では、例示的な装置４００は、少なくとも１つのアップリンクキャリア上で信号を送信するための手段と、なお、少なくとも１つのアップリンクキャリアが、複数のアップリンクキャリアからなるグループから選択されたアップリンクキャリアと、Ｎ≧２であるＮ個のシングルキャリア周波数分割多元接続送信を含んでいる１つのアップリンクキャリアとを備える、各信号のチャネル品質に基づいて判断された少なくとも１つの変調および符号化スキームに関する情報を受信するための手段と、少なくとも１つのアップリンクキャリア中での送信のために情報に従ってデータを変調し、符号化するための手段とを含む。上述の手段は、図２２のモジュール／アルゴリズムを用いて構成された処理システムである。
【００６４】
上記で説明したように、マルチキャリアシステムにおける割り当てられたリソースにわたるＭＳＣのための複数の手法が提供される。複数の手法は、マルチキャリア割振りにわたる共通（単一の）ＭＳＣと、キャリア割振りごとの専用（別個の）ＭＣＳと、キャリアのグループにわたる共通ＭＣＳと、複数の帯域幅割振り（たとえば、単一のＵＬキャリア上でのＮ×ＳＣ−ＦＤＭＡ送信）にわたる共通ＭＣＳとを含む。
【００６５】
共通ＭＣＳは、いくつかの利益を与える。共通ＭＣＳの下では、ＭＣＳ情報に関係するＤＬ許可オーバーヘッドがより小さくなる。専用ＭＣＳ手法の下での単一のＭＣ許可は、各キャリアの別個のＭＣＳについてＵＥに通知するための追加のビット（たとえば、５ビット）を有することになり、許可を各キャリア上で別々に送信する場合、許可は、キャリアごとにＭＣＳと、フラグと、ＨＡＲＱプロセスＩＤと、ＣＲＣとのための追加のビット（たとえば、２５ビット）を有することになる。さらに、すべてのキャリアにわたってただ１つの広帯域ＣＱＩフィードバックしか必要とされないので、共通ＭＣＳは周波数ダイバーススケジューリングを与える。すなわち、共通ＭＣＳの下では、ＵＥは、すべてのＤＬキャリアについてただ１つの平均化されたＣＱＩフィードバックを送信することができる。一方、周波数選択性である専用ＭＣＳの下では、ＵＥは、ＤＬキャリアの各々についてＣＱＩフィードバックを送信しなければならない。さらに、共通ＭＣＳは、割り振られたキャリアにわたってインターリーブされたペイロードを用いて、潜在的により大きい周波数ダイバーシティを与える。
【００６６】
共通ＭＣＳの下では、専用ＭＣＳに比較して若干の容量損失がある。専用ＭＣＳの下では、ＭＣＳが提供されたＣＱＩフィードバックとマッチングされるので、キャリア間のＳＮＲ差異が大きい場合に若干の容量利得がある。
【００６７】
キャリアのグループにわたる共通ＭＣＳにより、まったく異なる特性をもつキャリアのグループを区別する柔軟性が得られる。割当てごとのＭＣＳの数は、２つに制限され得、異なる送信電力クラス、干渉、および異なる周波数帯域中の損失のために２つの帯域幅領域の信号対干渉雑音比（ＳＩＮＲ）相異が非常に大きいケースをカバーすることができる。グループの数は、許可フォーマットによって暗黙的にＵＥに搬送できる。どのキャリアがどのグループに属するかについての情報は、システム情報中か、またはＲＲＣシグナリング（すなわち、専用シグナリング）のいずれかによって、ＵＥに半静的に搬送できる。代替的に、情報は、許可中でＵＥに動的に搬送できる。
【００６８】
前述の説明は、いかなる当業者でも本開示の全範囲を完全に理解することができるように提供した。本明細書で開示した様々な構成への変更は当業者には容易に明らかであろう。したがって、特許請求の範囲は、本明細書で説明した本開示の様々な態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。要素の組合せのうちの少なくとも１つ（たとえば、「Ａ、Ｂ、またはＣのうちの少なくとも１つ」）を具陳する請求項は、具陳された要素のうちの１つまたは複数（たとえば、Ａ、またはＢ、またはＣ、またはそれらの組合せ）を表す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
以下に本願出願の当初の特許請求の範囲について記載された発明を付記する。
［１］
複数のダウンリンクキャリアについて受信され、デバイスから送信されたフィードバックに基づいて少なくとも１つの変調および符号化スキームを判断することと、
前記ダウンリンクキャリア上での前記デバイスへの送信のために、前記少なくとも１つの変調および符号化スキームに従ってデータを変調し、符号化することと、
を備える、ワイヤレス通信のための方法。
［２］
前記判断された少なくとも１つの変調および符号化スキームについて前記デバイスに通知することをさらに備える、
［１］に記載の方法。
［３］
前記フィードバックは、チャネル品質指示フィードバックである、
［１］に記載の方法。
［４］
前記少なくとも１つの変調および符号化スキームは、単一の変調および符号化スキームを備える、
［１］に記載の方法。
［５］
前記データは、合成データブロックへ多重化される第１のトランスポートブロックと第２のトランスポートブロックとを備え、
前記方法は、前記ダウンリンクキャリア上での送信のために前記変調され、符号化された合成データブロックをマッピングすることをさらに備える、
［４］に記載の方法。
［６］
前記データについておよび前記単一の変調および符号化スキームについて、トランスポートブロックの数Ｎと前記トランスポートブロックの各々のサイズとを判断することをさらに備える、
［４］に記載の方法。
［７］
前記単一の変調および符号化スキームについての前記トランスポートブロックの数Ｎは、
【数２】
0005497050.tif 000003
として判断され、ここで、Ｔは、第１のトランスポートブロック中のリソースブロックの第１の数ＮRBと前記単一の変調および符号化スキームのインデックスとに基づいて判断される第１のトランスポートブロックサイズであり、Ｔ’は、第２のトランスポートブロック中のリソースブロックの第２の数Ｎ’RBと前記単一の変調および符号化スキームの前記インデックスとに基づいて判断される第２のトランスポートブロックサイズである、
［６］に記載の方法。
［８］
前記Ｎ個のトランスポートブロックの各々の前記サイズは、前記最初のＮ−１個のトランスポートブロックについてはＴ’であり、前記Ｎ番目のトランスポートブロックについては、最も近い第２のトランスポートブロックサイズに切り上げられたＴ−（Ｎ−１）Ｔ’である、
［７］に記載の方法。
［９］
前記Ｎ個のトランスポートブロックの各々の前記サイズは、最も近い第２のトランスポートブロックサイズに切り上げられたＴ／Ｎである、
［７］に記載の方法。
［１０］
前記複数のダウンリンクキャリアは、第１のダウンリンクキャリアと第２のダウンリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについて受信された前記フィードバックに基づいて判断され、前記第２の変調および符号化スキームは、前記第２のダウンリンクキャリアについて受信された前記フィードバックに基づいて判断され、
前記第１の変調および符号化スキームは、前記第１のダウンリンクキャリア上で前記データを変調し、符号化するために使用され、
前記第２の変調および符号化スキームは、前記第２のダウンリンクキャリア上で前記データを変調し、符号化するために使用される
［１］に記載の方法。
［１１］
前記データは、第１のトランスポートブロックと第２のトランスポートブロックとを備え、
前記第１のトランスポートブロックは、前記第１の変調および符号化スキームによって変調され、符号化され、前記第２のトランスポートブロックは、前記第２の変調および符号化スキームによって変調され、符号化され、
前記方法は、前記第１のダウンリンクキャリア上での送信のために前記変調され、符号化された第１のトランスポートブロックをマッピングし、前記第２のダウンリンクキャリア上での送信のために前記変調され、符号化された第２のトランスポートブロックをマッピングすることをさらに備える、
［１０］に記載の方法。
［１２］
前記複数のダウンリンクキャリアは、第１のダウンリンクキャリアと、第２のダウンリンクキャリアと、第３のダウンリンクキャリアとを備え、
前記少なくとも１つの変調および符号化スキームは、第１の変調および符号化スキームと、前記第１の変調および符号化スキームとは別個に判断される第２の変調および符号化スキームとを備え、
前記第１の変調および符号化スキームは、前記第１のダウンリンクキャリア上で前記データを変調し、符号化するために使用され、
前記第２の変調および符号化スキームは、前記第３のダウンリンクキャリア上で前記データを変調し、符号化するために使用され、
前記第１の変調および符号化スキームまたは前記第２の変調および符号化スキームは、前記第２のダウンリンクキャリア上で前記データを変調し、符号化するために使用される
［１］に記載の方法。
［１３］
前記データは、第１の合成データブロックへ多重化される第１のトランスポートブロックと第２のトランスポートブロックとを備え、第２の合成データブロックへ多重化される第３のトランスポートブロックと第４のトランスポートブロックとを備え、
前記第１の合成データブロックは、前記第１の変調および符号化スキームによって変調され、符号化され、
前記第２の合成データブロックは、前記第２の変調および符号化スキームによって変調され、符号化され、
前記方法は、前記第１のダウンリンクキャリア上と前記第２のダウンリンクキャリア上とでの送信のために前記変調され、符号化された第１の合成データブロックをマッピングし、前記第３のダウンリンクキャリア上での送信のために前記変調され、符号化された第２の合成データブロックをマッピングすることをさらに備える、
［１２］に記載の方法。
［１４］
前記第１の変調および符号化スキームは、前記第２のダウンリンクキャリア上で前記データを変調し、符号化するために使用され、
前記第１のダウンリンクキャリアについて受信された前記フィードバックと前記第２のダウンリンクキャリアについて受信された前記フィードバックとが合成フィードバックに合成され、前記合成フィードバックが前記第１および第２のダウンリンクキャリアの平均チャネル品質に対応し、
前記第１の変調および符号化スキームは、前記合成フィードバックに基づいて判断され、
前記第２の変調および符号化スキームは、前記第３のダウンリンクキャリアについて受信された前記フィードバックに基づいて判断される
［１２］に記載の方法。
［１５］
少なくとも１つのアップリンクキャリア中でデバイスから信号を受信することと、なお、前記少なくとも１つのアップリンクキャリアは、複数のアップリンクキャリアからなる前記グループから選択されたアップリンクキャリアと、Ｎ≧２であるＮ個のシングルキャリア周波数分割多元接続送信を含んでいる１つのアップリンクキャリアとを備える、
各受信信号のチャネル品質を判断することと、
前記判断されたチャネル品質に基づいて少なくとも１つの変調および符号化スキームを判断することと、
前記少なくとも１つの変調および符号化スキームに従って前記デバイスからの前記少なくとも１つのアップリンクキャリア中のデータを復調し、復号することと、
を備える、ワイヤレス通信のための方法。
［１６］
前記判断された少なくとも１つの変調および符号化スキームについて前記デバイスに通知することをさらに備える、
［１５］に記載の方法。
［１７］
前記少なくとも１つのアップリンクキャリアは、複数のアップリンクキャリアを備え、前記少なくとも１つの変調および符号化スキームは、単一の変調および符号化スキームを備える、
［１５］に記載の方法。
［１８］
前記少なくとも１つのアップリンクキャリアは、複数のアップリンクキャリアを備え、前記複数のアップリンクキャリアは、第１のアップリンクキャリアと第２のアップリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについての前記チャネル品質に基づいて判断され、前記第２の変調および符号化スキームは、前記第２のダウンリンクキャリアについての前記チャネル品質に基づいて判断され、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用される、
［１５］に記載の方法。
［１９］
前記少なくとも１つのアップリンクキャリアは、複数のアップリンクキャリアを備え、前記複数のアップリンクキャリアは、第１のアップリンクキャリアと、第２のアップリンクキャリアと、第３のアップリンクキャリアとを備え、
前記少なくとも１つの変調および符号化スキームは、第１の変調および符号化スキームと、前記第１の変調および符号化スキームとは別個に判断される第２の変調および符号化スキームとを備え、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用され、
前記第１の変調および符号化スキームまたは前記第２の変調および符号化スキームは、前記第３のアップリンクキャリア上で前記データを変調し、符号化するために使用される、
［１５］に記載の方法。
［２０］
前記少なくとも１つのアップリンクキャリアは、前記Ｎ個のシングルキャリア周波数分割多元接続送信を含んでいる１つのキャリアを備え、
前記少なくとも１つの変調および符号化スキームは、単一の変調および符号化スキームを備え、
前記データは、第１のトランスポートブロックと第２のトランスポートブロックとを備え、
前記第１および第２のトランスポートブロックは、前記単一の変調および符号化スキームによって変調され、符号化され、
前記方法は、前記Ｎ個のシングルキャリア周波数分割多元接続送信上での送信のために前記変調され、符号化された第１および第２のトランスポートブロックをマッピングすることをさらに備える、
［１５］に記載の方法。
［２１］
複数のダウンリンクキャリアについてフィードバックを送信することと、
前記フィードバックに基づいて判断された少なくとも１つの変調および符号化スキームに関する情報を受信することと、
前記ダウンリンクキャリア上で受信されたデータを前記情報に従って復調し、復号することと、
を備える、ワイヤレス通信のための方法。
［２２］
前記フィードバックは、チャネル品質指示フィードバックである、
［２１］に記載の方法。
［２３］
前記少なくとも１つの変調および符号化スキームは、単一の変調および符号化スキームを備える、
［２１］に記載の方法。
［２４］
前記複数のダウンリンクキャリアは、第１のダウンリンクキャリアと第２のダウンリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについて送信された前記フィードバックに基づいて判断され、前記第２の変調および符号化スキームは、前記第２のダウンリンクキャリアについて送信された前記フィードバックに基づいて判断され、
前記第１の変調および符号化スキームは、前記第１のダウンリンクキャリア上で前記データを復調し、復号するために使用され、
前記第２の変調および符号化スキームは、前記第２のダウンリンクキャリア上で前記データを復調し、復号するために使用される、
［２１］に記載の方法。
［２５］
前記複数のダウンリンクキャリアは、第１のダウンリンクキャリアと、第２のダウンリンクキャリアと、第３のダウンリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについて送信された前記フィードバックに基づいて判断され、前記第２の変調および符号化スキームは、前記第３のダウンリンクキャリアについて送信された前記フィードバックに基づいて判断され、
前記第１の変調および符号化スキームは、前記第１のダウンリンクキャリア上で前記データを復調し、復号するために使用され、
前記第２の変調および符号化スキームは、前記第３のダウンリンクキャリア上で前記データを復調し、復号するために使用され、
前記第１の変調および符号化スキームまたは前記第２の変調および符号化スキームは、前記第２のダウンリンクキャリア上で前記データを復調し、復号するために使用される、
［２１］に記載の方法。
［２６］
少なくとも１つのアップリンクキャリア上で信号を送信することと、なお、前記少なくとも１つのアップリンクキャリアは、複数のアップリンクキャリアからなる前記グループから選択されるアップリンクキャリアと、Ｎ≧２であるＮ個のシングルキャリア周波数分割多元接続送信を含んでいる１つのアップリンクキャリアとを備える、
各信号のチャネル品質に基づいて判断された少なくとも１つの変調および符号化スキームに関する情報を受信することと、
前記少なくとも１つのアップリンクキャリア中での送信のために、前記情報に従ってデータを変調し、符号化することと、
を備える、ワイヤレス通信のための方法。
［２７］
前記少なくとも１つのアップリンクキャリアは、複数のアップリンクキャリアを備え、前記少なくとも１つの変調および符号化スキームは、単一の変調および符号化スキームを備える、
［２６］に記載の方法。
［２８］
前記少なくとも１つのアップリンクキャリアは、複数のアップリンクキャリアを備え、前記複数のアップリンクキャリアは、第１のアップリンクキャリアと第２のアップリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについての前記チャネル品質に基づいて判断され、前記第２の変調および符号化スキームは、前記第２のダウンリンクキャリアについての前記チャネル品質に基づいて判断され、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用される、
［２６］に記載の方法。
［２９］
前記少なくとも１つのアップリンクキャリアは、複数のアップリンクキャリアを備え、前記複数のアップリンクキャリアは、第１のアップリンクキャリアと、第２のアップリンクキャリアと、第３のアップリンクキャリアとを備え、
前記少なくとも１つの変調および符号化スキームは、第１の変調および符号化スキームと、前記第１の変調および符号化スキームとは別個に判断される第２の変調および符号化スキームとを備え、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用され、
前記第１の変調および符号化スキームまたは前記第２の変調および符号化スキームは、前記第３のアップリンクキャリア上で前記データを変調し、符号化するために使用される
［２６］に記載の方法。
［３０］
複数のダウンリンクキャリアについて受信され、デバイスから送信されたフィードバックに基づいて少なくとも１つの変調および符号化スキームを判断するための手段と、
前記ダウンリンクキャリア上での前記デバイスへの送信のために、前記少なくとも１つの変調および符号化スキームに従ってデータを変調し、符号化するための手段と、
を備える、ワイヤレス通信システムにおいて動作可能な装置。
［３１］
前記判断された少なくとも１つの変調および符号化スキームについて前記デバイスに通知するための手段をさらに備える、
［３０］に記載の装置。
［３２］
前記フィードバックは、チャネル品質指示フィードバックである、
［３０］に記載の装置。
［３３］
前記少なくとも１つの変調および符号化スキームは、単一の変調および符号化スキームを備える、
［３０］に記載の装置。
［３４］
前記データは、合成データブロックへ多重化される第１のトランスポートブロックと第２のトランスポートブロックとを備え、
前記装置は、前記ダウンリンクキャリア上での送信のために前記変調され、符号化された合成データブロックをマッピングするための手段をさらに備える、
［３３］に記載の装置。
［３５］
前記データについておよび前記単一の変調および符号化スキームについて、トランスポートブロックの数Ｎと前記トランスポートブロックの各々のサイズとを判断するための手段をさらに備える、
［３３］に記載の装置。
［３６］
前記単一の変調および符号化スキームについての前記トランスポートブロックの数Ｎは、
【数３】
0005497050.tif 000004
として判断され、ここで、Ｔは、第１のトランスポートブロック中のリソースブロックの第１の数ＮRBと前記単一の変調および符号化スキームのインデックスとに基づいて判断される第１のトランスポートブロックサイズであり、Ｔ’は、第２のトランスポートブロック中のリソースブロックの第２の数Ｎ’RBと前記単一の変調および符号化スキームの前記インデックスとに基づいて判断される第２のトランスポートブロックサイズである、
［３５］に記載の装置。
［３７］
前記Ｎ個のトランスポートブロックの各々の前記サイズは、前記最初のＮ−１個のトランスポートブロックについてはＴ’であり、前記Ｎ番目のトランスポートブロックについては、最も近い第２のトランスポートブロックサイズに切り上げられたＴ−（Ｎ−１）Ｔ’である、
［３６］に記載の装置。
［３８］
前記Ｎ個のトランスポートブロックの各々の前記サイズは、最も近いレガシートランスポートブロックサイズに切り上げられたＴ／Ｎである、
［３６］に記載の装置。
［３９］
前記複数のダウンリンクキャリアは、第１のダウンリンクキャリアと第２のダウンリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについて受信された前記フィードバックに基づいて判断され、前記第２の変調および符号化スキームは、前記第２のダウンリンクキャリアについて受信された前記フィードバックに基づいて判断され、
前記第１の変調および符号化スキームは、前記第１のダウンリンクキャリア上で前記データを変調し、符号化するために使用され、
前記第２の変調および符号化スキームは、前記第２のダウンリンクキャリア上で前記データを変調し、符号化するために使用される
［３０］に記載の装置。
［４０］
前記データは、第１のトランスポートブロックと第２のトランスポートブロックとを備え、
前記第１のトランスポートブロックは、前記第１の変調および符号化スキームによって変調され、符号化され、前記第２のトランスポートブロックは、前記第２の変調および符号化スキームによって変調され、符号化され、
前記装置は、前記第１のダウンリンクキャリア上での送信のために前記変調され、符号化された第１のトランスポートブロックをマッピングし、前記第２のダウンリンクキャリア上での送信のために前記変調され、符号化された第２のトランスポートブロックをマッピングするための手段をさらに備える、
［３９］に記載の装置。
［４１］
前記複数のダウンリンクキャリアは、第１のダウンリンクキャリアと、第２のダウンリンクキャリアと、第３のダウンリンクキャリアとを備え、
前記少なくとも１つの変調および符号化スキームは、第１の変調および符号化スキームと、前記第１の変調および符号化スキームとは別個に判断される第２の変調および符号化スキームとを備え、
前記第１の変調および符号化スキームは、前記第１のダウンリンクキャリア上で前記データを変調し、符号化するために使用され、
前記第２の変調および符号化スキームは、前記第３のダウンリンクキャリア上で前記データを変調し、符号化するために使用され、
前記第１の変調および符号化スキームまたは前記第２の変調および符号化スキームは、前記第２のダウンリンクキャリア上で前記データを変調し、符号化するために使用される、
［３０］に記載の装置。
［４２］
前記データは、第１の合成データブロックへ多重化される第１のトランスポートブロックと第２のトランスポートブロックとを備え、第２の合成データブロックへ多重化される第３のトランスポートブロックと第４のトランスポートブロックとを備え、
前記第１の合成データブロックは、前記第１の変調および符号化スキームによって変調され、符号化され、
前記第２の合成データブロックは、前記第２の変調および符号化スキームによって変調され、符号化され、
前記装置は、前記第１のダウンリンクキャリア上と前記第２のダウンリンクキャリア上とでの送信のために前記変調され、符号化された第１の合成データブロックをマッピングし、前記第３のダウンリンクキャリア上での送信のために前記変調され、符号化された第２の合成データブロックをマッピングするための手段をさらに備える、
［４１］に記載の装置。
［４３］
前記第１の変調および符号化スキームは、前記第２のダウンリンクキャリア上で前記データを変調し、符号化するために使用され、
前記第１のダウンリンクキャリアについて受信された前記フィードバックと前記第２のダウンリンクキャリアについて受信された前記フィードバックとが合成フィードバックに合成され、前記合成フィードバックが前記第１および第２のダウンリンクキャリアの平均チャネル品質に対応し、
前記第１の変調および符号化スキームは、前記合成フィードバックに基づいて判断され、
前記第２の変調および符号化スキームは、前記第３のダウンリンクキャリアについて受信された前記フィードバックに基づいて判断される、
［４１］に記載の装置。
［４４］
少なくとも１つのアップリンクキャリア中でデバイスから信号を受信するための手段と、なお、前記少なくとも１つのアップリンクキャリアは、複数のアップリンクキャリアからなる前記グループから選択されたアップリンクキャリアと、Ｎ≧２である、Ｎ個のシングルキャリア周波数分割多元接続送信を含んでいる１つのアップリンクキャリアとを備える、
各受信信号のチャネル品質を判断するための手段と、
前記判断されたチャネル品質に基づいて少なくとも１つの変調および符号化スキームを判断するための手段と、
前記少なくとも１つの変調および符号化スキームに従って前記デバイスからの前記少なくとも１つのアップリンクキャリア中でデータを復調し、復号するための手段と、
を備える、ワイヤレス通信のための装置。
［４５］
前記判断された少なくとも１つの変調および符号化スキームについて前記デバイスに通知するための手段をさらに備える、
［４４］に記載の装置。
［４６］
前記少なくとも１つのアップリンクキャリアは、複数のアップリンクキャリアを備え、前記少なくとも１つの変調および符号化スキームは、単一の変調および符号化スキームを備える、
［４４］に記載の装置。
［４７］
前記少なくとも１つのアップリンクキャリアは、複数のアップリンクキャリアを備え、前記複数のアップリンクキャリアは、第１のアップリンクキャリアと第２のアップリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについての前記チャネル品質に基づいて判断され、前記第２の変調および符号化スキームは、前記第２のダウンリンクキャリアについての前記チャネル品質に基づいて判断され、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用される、
［４４］に記載の装置。
［４８］
前記少なくとも１つのアップリンクキャリアは、複数のアップリンクキャリアを備え、前記複数のアップリンクキャリアは、第１のアップリンクキャリアと、第２のアップリンクキャリアと、第３のアップリンクキャリアとを備え、
前記少なくとも１つの変調および符号化スキームは、第１の変調および符号化スキームと、前記第１の変調および符号化スキームとは別個に判断される第２の変調および符号化スキームとを備え、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用され、
前記第１の変調および符号化スキームまたは前記第２の変調および符号化スキームは、前記第３のアップリンクキャリア上で前記データを変調し、符号化するために使用される、
［４４］に記載の装置。
［４９］
前記少なくとも１つのアップリンクキャリアは、前記Ｎ個のシングルキャリア周波数分割多元接続送信を含んでいる１つのキャリアを備え、
前記少なくとも１つの変調および符号化スキームは、単一の変調および符号化スキームを備え、
前記データは、第１のトランスポートブロックと第２のトランスポートブロックとを備え、
前記第１および第２のトランスポートブロックは、前記単一の変調および符号化スキームによって変調され、符号化され、
前記装置は、前記Ｎ個のシングルキャリア周波数分割多元接続送信上での送信のために前記変調され、符号化された第１および第２のトランスポートブロックをマッピングするための手段をさらに備える、
［４４］に記載の装置。
［５０］
複数のダウンリンクキャリアについてフィードバックを送信するための手段と、
前記フィードバックに基づいて判断された少なくとも１つの変調および符号化スキームに関する情報を受信するための手段と、
前記ダウンリンクキャリア上で受信されたデータを前記情報に従って復調し、復号するための手段と、
を備える、ワイヤレス通信のための装置。
［５１］
前記フィードバックがチャネル品質指示フィードバックである、
［５０］に記載の装置。
［５２］
前記少なくとも１つの変調および符号化スキームが単一の変調および符号化スキームを備える、
［５０］に記載の装置。
［５３］
前記複数のダウンリンクキャリアは、第１のダウンリンクキャリアと第２のダウンリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについて送信された前記フィードバックに基づいて判断され、前記第２の変調および符号化スキームは、前記第２のダウンリンクキャリアについて送信された前記フィードバックに基づいて判断され、
前記第１の変調および符号化スキームは、前記第１のダウンリンクキャリア上で前記データを復調し、復号するために使用され、
前記第２の変調および符号化スキームは、前記第２のダウンリンクキャリア上で前記データを復調し、復号するために使用される、
［５０］に記載の装置。
［５４］
前記複数のダウンリンクキャリアは、第１のダウンリンクキャリアと、第２のダウンリンクキャリアと、第３のダウンリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについて送信された前記フィードバックに基づいて判断され、前記第２の変調および符号化スキームは、前記第３のダウンリンクキャリアについて送信された前記フィードバックに基づいて判断され、
前記第１の変調および符号化スキームは、前記第１のダウンリンクキャリア上で前記データを復調し、復号するために使用され、
前記第２の変調および符号化スキームは、前記第３のダウンリンクキャリア上で前記データを復調し、復号するために使用され、
前記第１の変調および符号化スキームまたは前記第２の変調および符号化スキームは、前記第２のダウンリンクキャリア上で前記データを復調し、復号するために使用される、
［５０］に記載の装置。
［５５］
少なくとも１つのアップリンクキャリア上で信号を送信するための手段と、なお、前記少なくとも１つのアップリンクキャリアは、複数のアップリンクキャリアからなる前記グループから選択されるアップリンクキャリアと、Ｎ≧２である、Ｎ個のシングルキャリア周波数分割多元接続送信を含んでいる１つのアップリンクキャリアとを備える、
各信号のチャネル品質に基づいて判断された少なくとも１つの変調および符号化スキームに関する情報を受信するための手段と、
前記少なくとも１つのアップリンクキャリア中での送信のために、前記情報に従ってデータを変調し、符号化するための手段と、
を備える、ワイヤレス通信のための装置。
［５６］
前記少なくとも１つのアップリンクキャリアは、複数のアップリンクキャリアを備え、前記少なくとも１つの変調および符号化スキームは、単一の変調および符号化スキームを備える、
［５５］に記載の装置。
［５７］
前記少なくとも１つのアップリンクキャリアは、複数のアップリンクキャリアを備え、前記複数のアップリンクキャリアは、第１のアップリンクキャリアと第２のアップリンクキャリアとを備え、
前記少なくとも１つの変調および符号化スキームは、第１の変調および符号化スキームと、前記第１の変調および符号化スキームとは別個に判断される第２の変調および符号化スキームとを備え、前記第１の変調および符号化スキームは、前記第１のダウンリンクキャリアについての前記チャネル品質に基づいて判断され、前記第２の変調および符号化スキームは、前記第２のダウンリンクキャリアについての前記チャネル品質に基づいて判断され、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用される、
［５５］に記載の装置。
［５８］
前記少なくとも１つのアップリンクキャリアは、複数のアップリンクキャリアを備え、前記複数のアップリンクキャリアは、第１のアップリンクキャリアと、第２のアップリンクキャリアと、第３のアップリンクキャリアとを備え、
前記少なくとも１つの変調および符号化スキームは、第１の変調および符号化スキームと、前記第１の変調および符号化スキームとは別個に判断される第２の変調および符号化スキームとを備え、
前記第１の変調および符号化スキームは、前記第１のアップリンクキャリア上で前記データを変調し、符号化するために使用され、
前記第２の変調および符号化スキームは、前記第２のアップリンクキャリア上で前記データを変調し、符号化するために使用され、
前記第１の変調および符号化スキームまたは前記第２の変調および符号化スキームは、前記第３のアップリンクキャリア上で前記データを変調し、符号化するために使用される、
［５５］に記載の装置。
［５９］
コンピュータ可読媒体を備えるコンピュータプログラム製品であって、
前記コンピュータ可読媒体は、
複数のダウンリンクキャリアについて受信され、デバイスから送信されたフィードバックに基づいて少なくとも１つの変調および符号化スキームを判断するためのコードと、
前記ダウンリンクキャリア上での前記デバイスへの送信のために、前記少なくとも１つの変調および符号化スキームに従ってデータを変調し、符号化するためのコードと、
を備える、コンピュータプログラム製品。
［６０］
コンピュータ可読媒体を備えるコンピュータプログラム製品であって、
前記コンピュータ可読媒体は、
少なくとも１つのアップリンクキャリア中でデバイスから信号を受信するためのコードと、なお、前記少なくとも１つのアップリンクキャリアが、複数のアップリンクキャリアからなる前記グループから選択されたアップリンクキャリアと、Ｎ≧２である、Ｎ個のシングルキャリア周波数分割多元接続送信を含んでいる１つのアップリンクキャリアとを備える、
各受信信号のチャネル品質を判断するためのコードと、
前記判断されたチャネル品質に基づいて少なくとも１つの変調および符号化スキームを判断するためのコードと、
前記少なくとも１つの変調および符号化スキームに従って前記デバイスからの前記少なくとも１つのアップリンクキャリア中でデータを復調し、復号するためのコードと、
を備える、コンピュータプログラム製品。
［６１］
コンピュータ可読媒体を備えるコンピュータプログラム製品であって、
前記コンピュータ可読媒体は、
複数のダウンリンクキャリアについてフィードバックを送信するためのコードと、
前記フィードバックに基づいて判断された少なくとも１つの変調および符号化スキームに関する情報を受信するためのコードと、
前記ダウンリンクキャリア上で受信されたデータを前記情報に従って復調し、復号するためのコードと、
を備える、コンピュータプログラム製品。
［６２］
コンピュータ可読媒体を備えるコンピュータプログラム製品であって、
前記コンピュータ可読媒体は、
少なくとも１つのアップリンクキャリア上で信号を送信するためのコードと、前記少なくとも１つのアップリンクキャリアが、複数のアップリンクキャリアからなる前記グループから選択されるアップリンクキャリアと、Ｎ≧２である、Ｎ個のシングルキャリア周波数分割多元接続送信を含んでいる１つのアップリンクキャリアとを備える、
各信号のチャネル品質に基づいて判断された少なくとも１つの変調および符号化スキームに関する情報を受信するためのコードと、
前記少なくとも１つのアップリンクキャリア中での送信のために、前記情報に従ってデータを変調し、符号化するためのコードと、
を備える、コンピュータプログラム製品。
［６３］
複数のダウンリンクキャリアについて受信され、デバイスから送信されたフィードバックに基づいて少なくとも１つの変調および符号化スキームを判断することと、
前記ダウンリンクキャリア上での前記デバイスへの送信のために、前記少なくとも１つの変調および符号化スキームに従ってデータを変調し、符号化することと、
を行うように構成された処理システムを備える、
ワイヤレス通信のための装置。
［６４］
少なくとも１つのアップリンクキャリア中でデバイスから信号を受信することと、なお、前記少なくとも１つのアップリンクキャリアは、複数のアップリンクキャリアからなる前記グループから選択されたアップリンクキャリアと、Ｎ≧２である、Ｎ個のシングルキャリア周波数分割多元接続送信を含んでいる１つのアップリンクキャリアとを備える、
各受信信号のチャネル品質を判断することと、
前記判断されたチャネル品質に基づいて少なくとも１つの変調および符号化スキームを判断することと、
前記少なくとも１つの変調および符号化スキームに従って前記デバイスからの前記少なくとも１つのアップリンクキャリア中のデータを復調し、復号することと、
を行うように構成された処理システムを備える、
ワイヤレス通信のための装置。
［６５］
複数のダウンリンクキャリアについてフィードバックを送信することと、
前記フィードバックに基づいて判断された少なくとも１つの変調および符号化スキームに関する情報を受信することと、
前記ダウンリンクキャリア上で受信されたデータを前記情報に従って復調し、復号することと、
を行うように構成された処理システムを備える、
ワイヤレス通信のための装置。
［６６］
少なくとも１つのアップリンクキャリア上で信号を送信することと、なお、前記少なくとも１つのアップリンクキャリアは、複数のアップリンクキャリアからなる前記グループから選択されるアップリンクキャリアと、Ｎ≧２である、Ｎ個のシングルキャリア周波数分割多元接続送信を含んでいる１つのアップリンクキャリアとを備える、
各信号のチャネル品質に基づいて判断された少なくとも１つの変調および符号化スキームに関する情報を受信することと、
前記少なくとも１つのアップリンクキャリア中での送信のために、前記情報に従ってデータを変調し、符号化することと、
を行うように構成された処理システムを備える、
ワイヤレス通信のための装置。
【図１】
0005497050.tif 000025
【図２】
0005497050.tif 000026
【図３】
0005497050.tif 000027
【図４】
0005497050.tif 000028
【図５】
0005497050.tif 000029
【図６】
0005497050.tif 000030
【図７】
0005497050.tif 000031
【図８】
0005497050.tif 000032
【図９】
0005497050.tif 000033
【図１０】
0005497050.tif 000034
【図１１】
0005497050.tif 000035
【図１２】
0005497050.tif 000036
【図１３】
0005497050.tif 000037
【図１４】
0005497050.tif 000038
【図１５】
0005497050.tif 000039
【図１６】
0005497050.tif 000040
【図１７】
0005497050.tif 000041
【図１８】
0005497050.tif 000042
【図１９】
0005497050.tif 000043
【図２０】
0005497050.tif 000044
【図２１】
0005497050.tif 000045
【図２２】
0005497050.tif 000046